(57)【要約】  ワイヤレス通信のための技法が説明される。1つの方法は、共有無線周波数スペクトル帯域におけるいくつかのアクティブなダウンリンクキャリアのための複数の無線リソース管理(RRM)測定を実行するステップと、RRM測定の各々を測定時間の指示と関連付けるステップと、RRM測定に対応するデータと測定時間の指示とを基地局に送信するステップとを含む。別の方法は、共有無線周波数スペクトル帯域の中の共存するダウンリンクキャリアの指示を受信するステップと、ダウンリンクキャリアのための複数のRRM測定を実行するステップと、受信された指示に少なくとも一部基づいて、共有無線周波数スペクトル帯域の中のある時間間隔にわたるRRM測定を組み合わせるステップと、組み合わされたRRM測定に少なくとも一部基づく報告を基地局に送信するステップとを含む。
2018530197.tif 000002
【特許請求の範囲】
【請求項１】
ユーザ機器(UE)におけるワイヤレス通信のための方法であって、
共有無線周波数スペクトル帯域におけるいくつかのアクティブなダウンリンクキャリアのための複数の無線リソース管理(RRM)測定を実行するステップと、
前記RRM測定の各々を測定時間の指示と関連付けるステップと、
前記RRM測定に対応するデータと前記測定時間の指示とを基地局に送信するステップとを備える、方法。
【請求項２】
前記RRM測定の各々をキャリアの指示と関連付けるステップと、
前記RRM測定に対応する前記データおよび前記測定時間の指示とともに、前記キャリアの指示を前記基地局に送信するステップとをさらに備える、請求項1に記載の方法。
【請求項３】
前記RRM測定の各々を測定時間の指示と関連付けるステップが、
前記RRM測定のうちの少なくとも1つを、前記RRM測定が実行されるサブフレームに対応するサブフレーム番号と関連付けるステップを備える、請求項1に記載の方法。
【請求項４】
前記RRM測定の各々を測定時間の指示と関連付けるステップがさらに、
前記RRM測定を測定順序と関連付けるステップを備える、請求項1に記載の方法。
【請求項５】
前記RRM測定が、プロトコルスタックの物理レイヤにおいて実行され、前記測定時間の指示と関連付けられ、前記RRM測定に対応する前記データおよび前記測定時間の指示が、前記物理レイヤから前記基地局に送信される、フィルタリングおよび平均化が行われていない値を備える、請求項1に記載の方法。
【請求項６】
前記RRM測定に対応する前記データおよび前記測定時間の指示を送信するステップが、
前記RRM測定に対応する前記データおよび前記測定時間の指示を、前記物理レイヤから前記物理レイヤより高い前記プロトコルスタックのレイヤに報告するステップと、
前記RRM測定に対応する前記データおよび前記測定時間の指示を、前記物理レイヤより高い前記プロトコルスタックの前記レイヤから前記基地局に報告するステップとを備える、請求項5に記載の方法。
【請求項７】
前記複数のRRM測定を実行するステップが、
前記いくつかのアクティブなダウンリンクキャリア上で受信される複数の参照信号を測定するステップを備え、前記複数の参照信号が複数の時間間隔にわたって可変の送信電力と関連付けられる、請求項1に記載の方法。
【請求項８】
ユーザ機器(UE)におけるワイヤレス通信のための装置であって、
共有無線周波数スペクトル帯域におけるいくつかのアクティブなダウンリンクキャリアのための複数の無線リソース管理(RRM)測定を実行するための手段と、
前記RRM測定の各々を測定時間の指示と関連付けるための手段と、
前記RRM測定に対応するデータおよび前記測定時間の指示を基地局に送信するための手段とを備える、装置。
【請求項９】
前記RRM測定の各々をキャリアの指示と関連付けるための手段と、
前記RRM測定に対応する前記データおよび前記測定時間の指示とともに、前記キャリアの指示を前記基地局に送信するための手段とをさらに備える、請求項8に記載の装置。
【請求項１０】
前記RRM測定の各々を測定時間の指示と関連付けるための前記手段が、
前記RRM測定のうちの少なくとも1つを、前記RRM測定が実行されるサブフレームに対応するサブフレーム番号と関連付けるための手段を備える、請求項8に記載の装置。
【請求項１１】
前記RRM測定の各々を測定時間の指示と関連付けるための前記手段がさらに、
前記RRM測定を測定順序と関連付けるための手段を備える、請求項8に記載の装置。
【請求項１２】
前記RRM測定が、プロトコルスタックの物理レイヤにおいて実行され、前記測定時間の指示と関連付けられ、前記RRM測定に対応する前記データおよび前記測定時間の指示が、前記物理レイヤから前記基地局に送信される、フィルタリングおよび平均化が行われていない値を備える、請求項8に記載の装置。
【請求項１３】
前記RRM測定に対応する前記データおよび前記測定時間の指示を送信するための前記手段が、
前記RRM測定に対応する前記データおよび前記測定時間の指示を、前記物理レイヤから前記物理レイヤより高い前記プロトコルスタックのレイヤに報告するための手段と、
前記RRM測定に対応する前記データおよび前記測定時間の指示を、前記物理レイヤより高い前記プロトコルスタックの前記レイヤから前記基地局に報告するための手段とを備える、請求項12に記載の装置。
【請求項１４】
前記複数のRRM測定を実行するための前記手段が、
前記いくつかのアクティブなダウンリンクキャリア上で受信される複数の参照信号を測定するための手段を備え、前記複数の参照信号が複数の時間間隔にわたって可変の送信電力と関連付けられる、請求項8に記載の装置。
【請求項１５】
ユーザ機器(UE)におけるワイヤレス通信のための方法であって、
共有無線周波数スペクトル帯域の中の共存するダウンリンクキャリアの指示を受信するステップと、
前記ダウンリンクキャリアのための複数の無線リソース管理(RRM)測定を実行するステップと、
前記受信された指示に少なくとも一部基づいて、前記共有無線周波数スペクトル帯域の中のある時間間隔にわたってRRM測定を組み合わせるステップと、
前記組み合わされたRRM測定に少なくとも一部基づく報告を基地局に送信するステップとを備える、方法。
【請求項１６】
前記組み合わせるステップが、加算するステップまたは平均するステップのうちの少なくとも1つを備える、請求項15に記載の方法。
【請求項１７】
前記組み合わされたRRM測定に少なくとも一部基づいて、無線リソース管理を実行するステップをさらに備える、請求項15に記載の方法。
【請求項１８】
前記無線リソース管理を実行するステップが、前記基地局と関連付けられた状態にとどまるかどうかを決定するステップ、または関連付けもしくはハンドオーバーのための基地局候補を特定するステップのうちの少なくとも1つを備える、請求項17に記載の方法。
【請求項１９】
複数の時間間隔にわたって前記組み合わされたRRM測定を平均するステップをさらに備え、
前記報告が、前記組み合わされたRRM測定の平均を備える、請求項15に記載の方法。
【請求項２０】
前記複数のRRM測定を実行するステップが、
前記ダウンリンクキャリア上で受信されるいくつかの参照信号を測定するステップを備え、前記いくつかの参照信号が複数の時間間隔にわたって一定の総送信電力と関連付けられる、請求項15に記載の方法。
【請求項２１】
前記RRM測定が、参照信号受信電力(RSRP)測定、参照信号受信品質(RSRQ)測定、参照信号強度インジケータ(RSSI)測定、またはこれらの組合せのうちの少なくとも1つを備える、請求項15に記載の方法。
【請求項２２】
ユーザ機器(UE)におけるワイヤレス通信のための装置であって、
共有無線周波数スペクトル帯域の中の共存するダウンリンクキャリアの指示を受信するための手段と、
前記ダウンリンクキャリアのための複数の無線リソース管理(RRM)測定を実行するための手段と、
前記受信された指示に少なくとも一部基づいて、前記共有無線周波数スペクトル帯域の中のある時間間隔にわたってRRM測定を組み合わせるための手段と、
前記組み合わされたRRM測定に少なくとも一部基づく報告を基地局に送信するための手段とを備える、装置。
【請求項２３】
前記組み合わせるための手段が、加算するための手段または平均するための手段のうちの少なくとも1つを備える、請求項22に記載の装置。
【請求項２４】
前記組み合わされたRRM測定に少なくとも一部基づいて、無線リソース管理を実行するための手段をさらに備える、請求項22に記載の装置。
【請求項２５】
前記無線リソース管理を実行するための前記手段が、前記基地局と関連付けられた状態にとどまるかどうかを決定するための手段、または関連付けもしくはハンドオーバーのための基地局候補を特定するための手段のうちの少なくとも1つを備える、請求項24に記載の装置。
【請求項２６】
複数の時間間隔にわたって前記組み合わされたRRM測定を平均するための手段をさらに備え、
前記報告が、前記組み合わされたRRM測定の平均を備える、請求項22に記載の装置。
【請求項２７】
前記複数のRRM測定を実行するための前記手段が、
前記ダウンリンクキャリア上で受信されるいくつかの参照信号を測定するための手段を備え、前記いくつかの参照信号が複数の時間間隔にわたって一定の総送信電力と関連付けられる、請求項22に記載の装置。
【請求項２８】
前記RRM測定が、参照信号受信電力(RSRP)測定、参照信号受信品質(RSRQ)測定、参照信号強度インジケータ(RSSI)測定、またはこれらの組合せのうちの少なくとも1つを備える、請求項22に記載の装置。
【発明の詳細な説明】
【技術分野】
【０００１】
相互参照
本特許出願は、各々が本出願の譲受人に譲渡される、2016年8月11日に出願された「Techniques For Reporting Radio Resource Management (RRM) Measurements For A Shared Radio Frequency Spectrum Band」と題するYerramalliらによる米国特許出願第15/234,917号、および2015年8月14日に出願された「Techniques For Reporting Radio Resource Management (RRM) Measurements For A Shared Radio Frequency Spectrum Band」と題するYerramalliらによる米国仮特許出願第62/205,534号の優先権を主張する。
【０００２】
本開示は、たとえば、ワイヤレス通信システムに関し、より詳細には、共有無線周波数スペクトル帯域のための無線リソース管理(RRM)測定を報告するための技法に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
例として、ワイヤレス多元接続通信システムは、ユーザ機器(UE)としても知られている複数の通信デバイスのための通信を各々が同時にサポートする、いくつかの基地局を含み得る。基地局は、ダウンリンクチャネル(たとえば、基地局からUEへの送信用)およびアップリンクチャネル(たとえば、UEから基地局への送信用)上でUEと通信することができる。
【０００５】
一部の通信モードは、共有無線周波数スペクトル帯域における、またはセルラーネットワークの異なる無線周波数スペクトル帯域における(たとえば、専用無線周波数スペクトル帯域および共有無線周波数スペクトル帯域における)、基地局とUEとの間の通信を可能にし得る。しかしながら、ある公衆陸上移動網(PLMN)のデバイスによる使用のために割り振られ、所定の(またはすべての)時間においてそのPLMNの基地局に対して利用可能であり得る、専用無線周波数スペクトル帯域とは対照的に、共有無線周波数スペクトル帯域は、PLMNのデバイスによる使用が、間欠的に可能であり得る。このような間欠的な利用可能性は、PLMNのデバイスによる、1つまたは複数の他のPLMNのデバイスによる、および/または他のデバイス(たとえば、Wi-Fiデバイス)による、共有無線周波数スペクトル帯域へのアクセスをめぐる競合の結果であり得る。
【発明の概要】
【課題を解決するための手段】
【０００６】
本開示は、たとえば、ワイヤレス通信システムに関し、より詳細には、共有無線周波数スペクトル帯域のためのRRM測定を報告するための技法に関する。UEが共有無線周波数スペクトル帯域におけるダウンリンクキャリアのためのRRM測定を実行するとき、UEは、不定期の間隔でRRM測定を実行し、かつ/または、不定期の間隔で有効なRRM測定を獲得することができる。不定期な間隔でのRRM測定の実行またはRRM測定の獲得は、基地局が、一部の無線フレームまたは送信バーストについてはダウンリンクキャリアへのアクセスをめぐる競合に勝ったが、他の無線フレームまたは送信バーストについては勝たなかったことによるものであり得る。不定期の間隔でRRM測定を実行すること、またはRRM測定を獲得することに加えて、RRM測定を実行するときにUEによって測定される参照信号は、可変の送信電力と関連付けられ得る。可変の送信電力は、基地局が、異なる無線フレームまたは送信バーストについての異なる数のダウンリンクキャリアへのアクセスをめぐる競合に勝ち、アクセスをめぐる競合に基地局が勝ったダウンリンクキャリアの間で一定の総送信電力を分けた(たとえば、第1の無線フレームでは一定の総送信電力が単一のダウンリンクキャリアに割り振られるが、第2の無線フレームでは3つのダウンリンクキャリアの間で分けられることがある)結果であり得る。本開示において説明される技法は、たとえば、RRM測定を測定時間の指示と関連付けること、複数のRRM測定が基地局によって特定される共存するダウンリンクキャリアのために実行されるときにそれらのRRM測定を組み合わせること、または、RRM測定の信頼性もしくは信頼性の変化を基地局に示すことによって、不定期に実行されるRRM測定もしくは獲得されるRRM測定および/または可変の送信電力と関連付けられる参照信号の影響を軽減することができる。
【０００７】
一例では、UEにおけるワイヤレス通信のための方法が説明される。方法は、共有無線周波数スペクトル帯域におけるいくつかのアクティブなダウンリンクキャリアのために複数の無線リソース管理(RRM)測定を実行するステップと、RRM測定の各々を測定時間の指示と関連付けるステップと、RRM測定に対応するデータと測定時間の指示とを基地局に送信するステップとを含み得る。
【０００８】
いくつかの例では、方法は、RRM測定の各々をキャリアの指示と関連付けるステップと、RRM測定に対応するデータおよび測定時間の指示とともにキャリアの指示を基地局に送信するステップとを含み得る。いくつかの例では、RRM測定の各々を測定時間の指示と関連付けるステップは、RRM測定のうちの少なくとも1つを、RRM測定が実行されるサブフレームに対応するサブフレーム番号と関連付けるステップを含み得る。いくつかの例では、RRM測定の各々を測定時間の指示と関連付けるステップは、RRM測定を測定順序と関連付けるステップを含み得る。いくつかの例では、RRM測定は、プロトコルスタックの物理レイヤにおいて実行され、測定時間の指示と関連付けられることがあり、RRM測定に対応するデータおよび測定時間の指示は、物理レイヤから基地局に送信される、フィルタリングおよび平均化が行われていない値を含む。いくつかの例では、RRM測定に対応するデータと測定時間の指示とを送信するステップは、RRM測定に対応するデータと測定時間の指示とを、物理レイヤから物理レイヤよりも高いプロトコルスタックのレイヤに報告するステップと、RRM測定に対応するデータと測定時間の指示とを、物理レイヤよりも高いプロトコルスタックのレイヤから基地局に報告するステップとを含み得る。いくつかの例では、複数のRRM測定を実行するステップは、そのいくつかのアクティブなダウンリンクキャリア上で受信される複数の参照信号を測定するステップを含むことがあり、その複数の参照信号は複数の時間間隔にわたって可変の送信電力と関連付けられる。
【０００９】
一例では、UEにおけるワイヤレス通信のための装置が説明される。装置は、共有無線周波数スペクトル帯域におけるいくつかのアクティブなダウンリンクキャリアのための複数のRRM測定を実行するための手段と、RRM測定の各々を測定時間の指示と関連付けるための手段と、RRM測定に対応するデータと測定時間の指示とを基地局に送信するための手段とを含み得る。
【００１０】
いくつかの例では、装置は、RRM測定の各々をキャリアの指示と関連付けるための手段と、RRM測定に対応するデータおよび測定時間の指示とともにキャリアの指示を基地局に送信するための手段とを含み得る。いくつかの例では、RRM測定の各々を測定時間の指示と関連付けるための手段は、RRM測定のうちの少なくとも1つを、RRM測定が実行されるサブフレームに対応するサブフレーム番号と関連付けるための手段を含み得る。いくつかの例では、RRM測定の各々を測定時間の指示と関連付けるための手段は、RRM測定を測定順序と関連付けるための手段を含み得る。いくつかの例では、RRM測定は、プロトコルスタックの物理レイヤにおいて実行され、測定時間の指示と関連付けられることがあり、RRM測定に対応するデータおよび測定時間の指示は、物理レイヤから基地局に送信される、フィルタリングおよび平均化が行われていない値を含む。いくつかの例では、RRM測定に対応するデータと測定時間の指示とを送信するための手段は、RRM測定に対応するデータと測定時間の指示とを、物理レイヤから物理レイヤよりも高いプロトコルスタックのレイヤに報告するための手段と、RRM測定に対応するデータと測定時間の指示とを、物理レイヤよりも高いプロトコルスタックのレイヤから基地局に報告するための手段とを含み得る。いくつかの例では、複数のRRM測定を実行するための手段は、そのいくつかのアクティブなダウンリンクキャリア上で受信される複数の参照信号を測定するための手段を含むことがあり、その複数の参照信号は複数の時間間隔にわたって可変の送信電力と関連付けられる。
【００１１】
一例では、UEにおけるワイヤレス通信のための別の装置が説明される。装置は、プロセッサと、プロセッサに結合されたメモリとを含み得る。プロセッサは、共有無線周波数スペクトル帯域におけるいくつかのアクティブなダウンリンクキャリアのための複数のRRM測定を実行することと、RRM測定の各々を測定時間の指示と関連付けることと、RRM測定に対応するデータと測定時間の指示とを基地局に送信することとを行うように構成され得る。
【００１２】
装置のいくつかの例では、プロセッサは、RRM測定の各々をキャリアの指示と関連付けることと、RRM測定に対応するデータおよび測定時間の指示とともにキャリアの指示を基地局に送信することとを行うように構成され得る。いくつかの例では、RRM測定の各々を測定時間の指示と関連付けるステップは、RRM測定のうちの少なくとも1つを、RRM測定が実行されるサブフレームに対応するサブフレーム番号と関連付けるステップを含み得る。いくつかの例では、RRM測定の各々を測定時間の指示と関連付けるステップは、RRM測定を測定順序と関連付けるステップを含み得る。いくつかの例では、複数のRRM測定を実行するステップは、そのいくつかのアクティブなダウンリンクキャリア上で受信される複数の参照信号を測定するステップを含むことがあり、その複数の参照信号は複数の時間間隔にわたって可変の送信電力と関連付けられる。
【００１３】
一例では、プロセッサによって実行可能な命令を記憶するためのコンピュータ可読媒体が説明される。コンピュータ可読媒体は、共有無線周波数スペクトル帯域におけるいくつかのアクティブなダウンリンクキャリアのための複数のRRM測定を実行するための命令と、RRM測定の各々を測定時間の指示と関連付けるための命令と、RRM測定に対応するデータと測定時間の指示とを基地局に送信するための命令とを含み得る。
【００１４】
一例では、UEにおけるワイヤレス通信のための別の方法が説明される。方法は、共有無線周波数スペクトル帯域における共存するダウンリンクキャリアの指示を受信するステップと、ダウンリンクキャリアのための複数のRRM測定を実行するステップと、受信された指示に少なくとも一部基づいて、共有無線周波数スペクトル帯域の中のある時間間隔にわたるRRM測定を組み合わせるステップと、組み合わされたRRM測定に少なくとも一部基づく報告を基地局に送信するステップとを含み得る。
【００１５】
方法のいくつかの例では、組み合わせるステップは、加算するステップまたは平均するステップのうちの少なくとも1つを含み得る。いくつかの例では、方法は、組み合わされたRRM測定に少なくとも一部基づいて、無線リソース管理を実行するステップを含み得る。いくつかの例では、無線リソース管理を実行するステップは、基地局と関連付けられた状態にとどまるかどうかを決定するステップ、または関連付けもしくはハンドオーバーのための基地局候補を特定するステップのうちの少なくとも1つを含み得る。いくつかの例では、方法は、複数の時間間隔にわたって組み合わされたRRM測定を平均するステップを含むことがあり、報告は組み合わされたRRM測定の平均を含むことがある。いくつかの例では、複数のRRM測定を実行するステップは、ダウンリンクキャリア上で受信されるいくつかの参照信号を測定するステップを含むことがあり、そのいくつかの参照信号は複数の時間間隔にわたって一定の総送信電力と関連付けられることがある。いくつかの例では、RRM測定は、参照信号受信電力(RSRP)測定、参照信号受信品質(RSRQ)測定、参照信号強度インジケータ(RSSI)測定、またはこれらの組合せのうちの少なくとも1つを含み得る。
【００１６】
一例では、UEにおけるワイヤレス通信のための別の装置は、共有無線周波数スペクトル帯域における共存するダウンリンクキャリアの指示を受信するための手段と、ダウンリンクキャリアのための複数のRRM測定を実行するための手段と、受信された指示に少なくとも一部基づいて、共有無線周波数スペクトル帯域の中のある時間間隔にわたるRRM測定を組み合わせるための手段と、組み合わされたRRM測定に少なくとも一部基づく報告を基地局に送信するための手段とを含み得る。
【００１７】
いくつかの例では、組み合わせるための手段は、加算するための手段または平均するための手段のうちの少なくとも1つを含み得る。いくつかの例では、方法は、組み合わされたRRM測定に少なくとも一部基づいて、無線リソース管理を実行するための手段を含み得る。いくつかの例では、無線リソース管理を実行するための手段は、基地局と関連付けられた状態にとどまるかどうかを決定するための手段、または関連付けもしくはハンドオーバーのための基地局候補を特定するための手段のうちの少なくとも1つを含み得る。いくつかの例では、方法は、複数の時間間隔にわたって組み合わされたRRM測定を平均するための手段を含むことがあり、報告は組み合わされたRRM測定の平均を含むことがある。いくつかの例では、複数のRRM測定を実行するための手段は、ダウンリンクキャリア上で受信されるいくつかの参照信号を測定するための手段を含むことがあり、そのいくつかの参照信号は複数の時間間隔にわたって一定の総送信電力と関連付けられることがある。いくつかの例では、RRM測定は、RSRP測定、RSRQ測定、RSSI測定、またはこれらの組合せのうちの少なくとも1つを含み得る。
【００１８】
一例では、UEにおけるワイヤレス通信のための別の装置は、プロセッサと、プロセッサに結合されるメモリとを含み得る。プロセッサは、共有無線周波数スペクトル帯域における共存するダウンリンクキャリアの指示を受信することと、ダウンリンクキャリアのための複数のRRM測定を実行することと、受信された指示に少なくとも一部基づいて、共有無線周波数スペクトル帯域の中のある時間間隔にわたるRRM測定を組み合わせることと、組み合わされたRRM測定に少なくとも一部基づく報告を基地局に送信することとを行うように構成され得る。
【００１９】
装置のいくつかの例では、組み合わせることは、加算することまたは平均することのうちの少なくとも1つを含み得る。いくつかの例では、プロセッサは、組み合わされたRRM測定に少なくとも一部基づいて、無線リソース管理を実行するように構成され得る。いくつかの例では、複数のRRM測定を実行するステップは、ダウンリンクキャリア上で受信されるいくつかの参照信号を測定するステップを含むことがあり、そのいくつかの参照信号は複数の時間間隔にわたって一定の総送信電力と関連付けられる。いくつかの例では、RRM測定は、RSRP測定、RSRQ測定、RSSI測定、またはこれらの組合せのうちの少なくとも1つを含み得る。
【００２０】
一例では、プロセッサによって実行可能な命令を記憶するための別のコンピュータ可読媒体が説明される。コンピュータ可読媒体は、共有無線周波数スペクトル帯域における共存するダウンリンクキャリアの指示を受信するための命令と、ダウンリンクキャリアのための複数のRRM測定を実行するための命令と、受信された指示に少なくとも一部基づいて、共有無線周波数スペクトル帯域の中のある時間間隔にわたるRRM測定を組み合わせるための命令と、組み合わされたRRM測定に少なくとも一部基づく報告を基地局に送信するための命令とを含み得る。
【００２１】
一例では、UEにおけるワイヤレス通信のための別の方法が説明される。方法は、共有無線周波数スペクトル帯域おけるダウンリンクキャリアのための複数のRRM測定を実行するステップと、RRM測定の信頼性を決定するステップと、RRM測定に対応するデータおよびRRM測定の信頼性の指示を基地局に送信するステップとを含み得る。
【００２２】
いくつかの例では、RRM測定の信頼性を決定するステップは、有効なRRM測定を実行していない経過時間を特定するステップを含み得る。いくつかの例では、RRM測定の信頼性を決定するステップは、ある期間の間に実行されるRRM測定の数を数えるステップを含み得る。
【００２３】
一例では、UEにおけるワイヤレス通信のための別の装置が説明される。装置は、共有無線周波数スペクトル帯域におけるダウンリンクキャリアのための複数のRRM測定を実行するための手段と、RRM測定の信頼性を決定するための手段と、RRM測定に対応するデータおよびRRM測定の信頼性の指示を基地局に送信するための手段とを含み得る。
【００２４】
いくつかの例では、RRM測定の信頼性を決定するための手段は、有効なRRM測定を実行していない経過時間を特定するための手段を含み得る。いくつかの例では、RRM測定の信頼性を決定するための手段は、ある期間の間に実行されるRRM測定の数を数えるための手段を含み得る。
【００２５】
一例では、UEにおけるワイヤレス通信のための別の装置が説明される。装置は、プロセッサと、プロセッサに結合されたメモリとを含み得る。プロセッサは、共有無線周波数スペクトル帯域におけるダウンリンクキャリアのための複数のRRM測定を実行することと、RRM測定の信頼性を決定することと、RRM測定に対応するデータおよびRRM測定の信頼性の指示を基地局に送信することとを行うように構成され得る。
【００２６】
いくつかの例では、RRM測定の信頼性を決定するステップは、有効なRRM測定を実行していない経過時間を特定するステップを含み得る。いくつかの例では、RRM測定の信頼性を決定するステップは、ある期間の間に実行されるRRM測定の数を数えるステップを含み得る。
【００２７】
一例では、プロセッサによって実行可能な命令を記憶するための別のコンピュータ可読媒体が説明される。コンピュータ可読媒体は、共有無線周波数スペクトル帯域におけるダウンリンクキャリアのための複数のRRM測定を実行するための命令と、RRM測定の信頼性を決定するための命令と、RRM測定に対応するデータおよびRRM測定の信頼性の指示を基地局に送信するための命令とを含み得る。
【００２８】
一例では、UEにおけるワイヤレス通信のための別の方法が説明される。方法は、共有無線周波数スペクトル帯域におけるダウンリンクキャリアのために複数のRRM測定を実行するステップと、RRM測定の信頼性の変化を特定するステップと、信頼性の変化を特定したことに応答して、ダウンリンクキャリアに対応するセルのためのRRM測定フィルタをリセットすること、基地局への測定報告の送信をトリガすること、RRM測定に対応するデータの基地局への送信を控えること、ダウンリンクキャリアに対応するセルを検出不可能であるものとして特定すること、またはこれらの組合せのうちの少なくとも1つを実行するステップとを含み得る。
【００２９】
一例では、UEにおけるワイヤレス通信のための別の装置が説明される。装置は、共有無線周波数スペクトル帯域におけるダウンリンクキャリアのための複数のRRM測定を実行するための手段と、RRM測定の信頼性の変化を特定するための手段と、信頼性の変化を特定したことに応答して、ダウンリンクキャリアに対応するセルのためのRRM測定フィルタをリセットすること、基地局への測定報告の送信をトリガすること、RRM測定に対応するデータの基地局への送信を控えること、ダウンリンクキャリアに対応するセルを検出不可能であるものとして特定すること、またはこれらの組合せのうちの少なくとも1つを実行するための手段とを含み得る。
【００３０】
一例では、UEにおけるワイヤレス通信のための別の装置が説明される。装置は、プロセッサと、プロセッサに結合されたメモリとを含み得る。プロセッサは、共有無線周波数スペクトル帯域におけるダウンリンクキャリアのための複数のRRM測定を実行することと、RRM測定の信頼性の変化を特定することと、信頼性の変化を特定したことに応答して、ダウンリンクキャリアに対応するセルのためのRRM測定フィルタをリセットすること、基地局への測定報告の送信をトリガすること、RRM測定に対応するデータの基地局への送信を控えること、ダウンリンクキャリアに対応するセルを検出不可能であるものとして特定すること、またはこれらの組合せのうちの少なくとも1つを実行することとを行うように構成され得る。
【００３１】
一例では、プロセッサによって実行可能な命令を記憶するための別のコンピュータ可読媒体が説明される。コンピュータ可読媒体は、共有無線周波数スペクトル帯域におけるダウンリンクキャリアのための複数のRRM測定を実行するための命令と、RRM測定の信頼性の変化を特定するための命令と、信頼性の変化を特定したことに応答して、ダウンリンクキャリアに対応するセルのためのRRM測定フィルタをリセットすること、基地局への測定報告の送信をトリガすること、RRM測定に対応するデータの基地局への送信を控えること、ダウンリンクキャリアに対応するセルを検出不可能であるものとして特定すること、またはこれらの組合せのうちの少なくとも1つを実行するための命令とを含み得る。
【００３２】
一例では、基地局におけるワイヤレス通信のための方法が説明される。方法は、UEに送信される複数の参照信号のための送信電力の指示および送信時間の指示を記録するステップと、UEから、複数のRRM測定に対応するデータと、RRM測定と関連付けられる測定時間の指示とを受信するステップであって、RRM測定が参照信号に少なくとも一部基づく、ステップと、測定時間の指示と送信時間の指示との間の相関に少なくとも一部基づいて、送信電力の指示をデータと相関付けるステップと、相関付けに少なくとも一部基づいてデータを調整するステップとを含み得る。
【００３３】
いくつかの例では、方法は、相関付けから、RRM測定に対応するデータが受信されていない少なくとも1つの参照信号を特定するステップを含み得る。いくつかの例では、方法は、相関付けから、少なくとも1つの外れ値のRRM測定に対応するデータを特定するステップを含み得る。
【００３４】
一例では、基地局におけるワイヤレス通信のための装置が説明される。装置は、UEに送信される複数の参照信号のための送信電力の指示および送信時間の指示を記録するための手段と、UEから、複数のRRM測定に対応するデータと、RRM測定と関連付けられる測定時間の指示とを受信するための手段であって、RRM測定が参照信号に少なくとも一部基づく、手段と、測定時間の指示と送信時間の指示との間の相関に少なくとも一部基づいて、送信電力の指示をデータと相関付けるための手段と、相関付けに少なくとも一部基づいてデータを調整するための手段とを含み得る。
【００３５】
いくつかの例では、装置は、相関付けから、RRM測定に対応するデータが受信されていない少なくとも1つの参照信号を特定するための手段を含み得る。いくつかの例では、装置は、相関付けから、少なくとも1つの外れ値のRRM測定に対応するデータを特定するための手段を含み得る。
【００３６】
一例では、基地局におけるワイヤレス通信のための別の装置が説明される。装置は、プロセッサと、プロセッサに結合されたメモリとを含み得る。プロセッサは、UEに送信される複数の参照信号のための送信電力の指示および送信時間の指示を記録することと、UEから、複数のRRM測定に対応するデータと、RRM測定と関連付けられる測定時間の指示とを受信することであって、RRM測定が参照信号に少なくとも一部基づく、受信することと、測定時間の指示と送信時間の指示との間の相関に少なくとも一部基づいて、送信電力の指示をデータと相関付けることと、相関付けに少なくとも一部基づいてデータを調整することとを行うように構成され得る。
【００３７】
一例では、プロセッサによって実行可能な命令を記憶するためのコンピュータ可読媒体が説明される。コンピュータ可読媒体は、UEに送信される複数の参照信号のための送信電力の指示および送信時間の指示を記録するための命令と、UEから、複数のRRM測定に対応するデータと、RRM測定と関連付けられる測定時間の指示とを受信するための命令であって、RRM測定が参照信号に少なくとも一部基づく、命令と、測定時間の指示と送信時間の指示との間の相関に少なくとも一部基づいて、送信電力の指示をデータと相関付けるための命令と、相関付けに少なくとも一部基づいてデータを調整するための命令とを含み得る。
【００３８】
上記では、以下の発明を実施するための形態がより良く理解され得るように、本開示による例の技法および技術的利点をかなり広く概説した。追加の技法および利点が、以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書において開示される概念の特徴、それらの編成と動作方法の両方が、関連する利点とともに、添付の図に関連して検討されると以下の説明からより良く理解されよう。図の各々は、例示および説明のために与えられ、特許請求の範囲の限界を定めるものではない。
【００３９】
本発明の本質および利点のさらなる理解は、以下の図面を参照することによって実現され得る。添付の図面において、類似の構成要素または機能は、同じ参照符号を有することがある。さらに、同じタイプの様々な構成要素は、参照符号の後に、ダッシュと、同様の構成要素を区別する第2の符号とを続けることによって、区別されることがある。第1の参照符号のみが本明細書において使用される場合、説明は、第2の参照符号にかかわらず、同じ第1の参照符号を有する同様の構成要素のうちのいずれにも適用可能である。
【図面の簡単な説明】
【００４０】
【図１】本開示の様々な態様による、ワイヤレス通信システムの例を示す図である。
【図２】本開示の様々な態様による、共有無線周波数スペクトル帯域を使用する様々なシナリオのもとでLTE/LTE-Aが展開され得るワイヤレス通信システムを示す図である。
【図３】本開示の様々な態様による、UEによって実行されるRRM測定が測定時間の指示および/またはキャリアの指示と関連付けられ得るメッセージフローを示す図である。
【図４】本開示の様々な態様による、共有無線周波数スペクトル帯域における共存するダウンリンクキャリアのためにRRM測定が実行され組み合わされ得るメッセージフローを示す図である。
【図５】本開示の様々な態様による、RRM測定の信頼性が決定され基地局に報告され得るメッセージフローを示す図である。
【図６】本開示の様々な態様による、RRM測定の信頼性の変化が特定され得るメッセージフローを示す図である。
【図７】本開示の様々な態様による、ワイヤレス通信において使用するための装置のブロック図である。
【図８】本開示の様々な態様による、ワイヤレス通信において使用するための装置のブロック図である。
【図９】本開示の様々な態様による、ワイヤレス通信において使用するための装置のブロック図である。
【図１０】本開示の様々な態様による、ワイヤレス通信において使用するための装置のブロック図である。
【図１１】本開示の様々な態様による、ワイヤレス通信において使用するための装置のブロック図である。
【図１２】本開示の様々な態様による、ワイヤレス通信において使用するための装置のブロック図である。
【図１３】本開示の様々な態様による、ワイヤレス通信において使用するための装置のブロック図である。
【図１４】本開示の様々な態様による、ワイヤレス通信において使用するためのUEのブロック図である。
【図１５】本開示の様々な態様による、ワイヤレス通信において使用する基地局(たとえば、eNBの一部またはすべてを形成する基地局)のブロック図である。
【図１６】本開示の様々な態様による、UEにおけるワイヤレス通信のための方法の例を示すフローチャートである。
【図１７】本開示の様々な態様による、UEにおけるワイヤレス通信のための方法の例を示すフローチャートである。
【図１８】本開示の様々な態様による、UEにおけるワイヤレス通信のための方法の例を示すフローチャートである。
【図１９】本開示の様々な態様による、UEにおけるワイヤレス通信のための方法の例を示すフローチャートである。
【図２０】本開示の様々な態様による、UEにおけるワイヤレス通信のための方法の例を示すフローチャートである。
【図２１】本開示の様々な態様による、UEにおけるワイヤレス通信のための方法の例を示すフローチャートである。
【図２２】本開示の様々な態様による、UEにおけるワイヤレス通信のための方法の例を示すフローチャートである。
【図２３】本開示の様々な態様による、基地局におけるワイヤレス通信のための方法の例を示すフローチャートである。
【発明を実施するための形態】
【００４１】
共有無線周波数スペクトル帯域がワイヤレス通信システムを介した通信の少なくとも一部分のために使用される、技法が説明される。いくつかの例では、共有無線周波数スペクトル帯域は、LTE/LTE-A通信のために使用され得る。共有無線周波数スペクトル帯域は、専用無線周波数スペクトル帯域と組み合わせて、またはそれとは独立に使用され得る。専用無線周波数スペクトル帯域は、送信装置がアクセスをめぐって競合しなくてもよい無線周波数スペクトル帯域(たとえば、LTE/LTE-A通信のために使用可能な免許無線周波数スペクトル帯域などの、特定の用途のために特定のユーザに免許されている無線周波数スペクトル帯域)を含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。
【００４２】
専用無線周波数スペクトル帯域を使用するセルラーネットワークにおけるデータトラフィックの増加に伴い、共有無線周波数スペクトル帯域への少なくとも一部のデータトラフィックのオフロードは、セルラー事業者(たとえば、PLMNの事業者、またはLTE/LTE-Aネットワークなどのセルラーネットワークを定義する基地局の協調されたセット)に、データ送信容量を増強する機会を与え得る。共有無線周波数スペクトル帯域の使用は、専用無線周波数帯域へのアクセスが利用不可能であるエリアにおけるサービスをもたらし得る。共有無線周波数スペクトル帯域を介して通信する前に、送信装置は、共有無線周波数スペクトル帯域へのアクセスを得るためにリッスンビフォアトーク(LBT)手順を実行し得る。そのようなLBT手順は、共有無線周波数スペクトル帯域のチャネルが利用可能であるかどうかを決定するために、クリアチャネルアセスメント(CCA)手順(または拡張CCA手順)を実行することを含み得る。共有無線周波数スペクトル帯域のチャネルが利用可能であると決定されるとき、チャネルを予約するために、チャネル予約信号(たとえば、チャネル使用ビーコン信号(CUBS))が送信され得る。チャネルが利用可能ではないと決定されるとき、CCA手順(または拡張CCA手順)が、後の時間に再びチャネルのために実行され得る。
【００４３】
以下の説明は例を与えるものであり、特許請求の範囲に記載される範囲、適用可能性、または例を限定するものではない。本開示の範囲から逸脱することなく、説明される要素の機能および構成に変更が行われ得る。様々な例は、必要に応じて、様々な手順または構成要素を省略し、置換し、または追加することがある。たとえば、説明される方法は、説明された方法とは異なる順序で実行されることがあり、様々なステップが追加され、省略され、または結合されることがある。また、いくつかの例に関して説明される特徴が、他の例では組み合わされることがある。
【００４４】
図1は、本開示の様々な態様による、ワイヤレス通信システム100の例を示す。ワイヤレス通信システム100は、基地局105、UE115、およびコアネットワーク130を含み得る。コアネットワーク130は、ユーザ認証、アクセス許可、追跡、インターネットプロトコル(IP)接続性、および他のアクセス機能、ルーティング機能、またはモビリティ機能を提供することができる。基地局105は、バックホールリンク132(たとえば、S1など)を通じてコアネットワーク130とインターフェースし、UE115との通信のための無線構成およびスケジューリングを実行することができ、または基地局コントローラ(図示せず)の制御下で動作することができる。様々な例では、基地局105は、有線通信リンクまたはワイヤレス通信リンクであり得るバックホールリンク134(たとえば、X1など)を介して、直接、または間接的に(たとえば、コアネットワーク130を通じて)のいずれかで、互いに通信することができる。
【００４５】
基地局105は、1つまたは複数の基地局アンテナを介してUE115とワイヤレスに通信し得る。基地局105のサイトの各々は、それぞれの地理的カバレージエリア110に通信カバレージを与え得る。いくつかの例では、基地局105は、トランシーバ基地局、無線基地局、アクセスポイント、無線送受信機、NodeB、eNodeB(eNB)、ホームNodeB、ホームeNodeB、または何らかの他の適切な用語で呼ばれることがある。基地局105の地理的カバレージエリア110は、カバレージエリアの一部分を構成するセクタ(図示せず)に分割され得る。ワイヤレス通信システム100は、異なるタイプの基地局105(たとえば、マクロセル基地局またはスモールセル基地局)を含み得る。異なる技術に対して重複する地理的カバレージエリア110があり得る。
【００４６】
いくつかの例では、ワイヤレス通信システム100は、LTEまたはLTE-Aネットワークを含み得る。LTE/LTE-Aネットワークでは、evolved Node B(eNB)という用語は、基地局105を表すために使用され得るが、UEという用語は、UE115を表すために使用され得る。ワイヤレス通信システム100は、異なるタイプのeNBが様々な地理的領域のためのカバレージを提供する異種LTE/LTE-Aネットワークであり得る。たとえば、各eNBまたは基地局105は、マクロセル、スモールセル、または他のタイプのセルに通信カバレージを提供し得る。「セル」という用語は、文脈に応じて、基地局、基地局と関連付けられるキャリアもしくはコンポーネントキャリア、またはキャリアもしくは基地局のカバレージエリア(たとえば、セクタなど)を表すために使用され得る3GPP用語である。
【００４７】
マクロセルは、比較的大きい地理的エリア(たとえば、半径数キロメートル)をカバーすることがあり、ネットワークプロバイダのサービスに加入しているUEによる無制限アクセスを可能にすることがある。スモールセルは、マクロセルと比較すると、マクロセルと同じまたはマクロセルとは異なる(たとえば、免許、共有などの)無線周波数スペクトル帯域において動作し得る低電力基地局であり得る。スモールセルは、様々な例によれば、ピコセルと、フェムトセルと、マイクロセルとを含み得る。ピコセルは、比較的小さい地理的エリアをカバーすることがあり、ネットワークプロバイダのサービスに加入しているUEによる無制限アクセスを可能にすることがある。フェムトセルも、比較的小さい地理的エリア(たとえば、自宅)をカバーすることがあり、フェムトセルとの関連性を有するUE(たとえば、限定加入者グループ(CSG)の中のUE、自宅内のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。
【００４８】
ワイヤレス通信システム100は同期動作または非同期動作をサポートし得る。同期動作の場合、基地局は、同様のフレームタイミングを有することがあり、異なる基地局からの送信は、概ね時間的に整合され得る。非同期動作の場合、基地局は異なるフレームタイミングを有することがあり、異なる基地局からの送信は時間的に整合されないことがある。本明細書において説明される技法は、同期動作または非同期動作のいずれでも使用され得る。
【００４９】
開示される様々な例のいくつかに適応し得る通信ネットワークは、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、論理チャネルを介して通信するために、パケットのセグメント化および再アセンブリを実行することができる。媒体アクセス制御(MAC)レイヤは、優先処理と、トランスポートチャネルへの論理チャネルの多重化とを実行し得る。MACレイヤはまた、リンク効率を改善するようにMACレイヤにおける再送信を行うために、ハイブリッドARQ(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立と構成と保守とを行い得る。物理(PHY)レイヤにおいて、トランスポートチャネルは物理チャネルにマッピングされ得る。
【００５０】
UE115は、ワイヤレス通信システム100全体にわたって分散されることがあり、各UE115は固定式または移動式であり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語をも含むか、またはそのように当業者によって呼ばれることもある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信することが可能であり得る。
【００５１】
ワイヤレス通信システム100に示されている通信リンク125は、基地局105からUE115へのダウンリンク(DL)送信、またはUE115から基地局105へのアップリンク(UL)送信を含み得る。ダウンリンク送信は、順方向リンク送信と呼ばれることもあり、アップリンク送信は、逆方向リンク送信と呼ばれることもある。
【００５２】
いくつかの例では、各通信リンク125は1つまたは複数のキャリアを含むことがあり、ここで、各キャリアは、上で説明された様々な無線技術に従って変調された複数のサブキャリア(たとえば、異なる周波数の波形信号)からなる信号であり得る。各々の変調された信号は、異なるサブキャリア上で送信されることがあり、制御情報(たとえば、参照信号、制御チャネルなど)、オーバーヘッド情報、ユーザデータなどを搬送し得る。通信リンク125は、周波数領域複信(FDD:frequency domain duplex)動作を使用して(たとえば、対のスペクトルリソースを使用して)、または時間領域複信(TDD:time domain duplex)動作を使用して(たとえば、不対のスペクトルリソースを使用して)双方向通信を送信し得る。FDD動作(たとえば、フレーム構造タイプ1)およびTDD動作(たとえば、フレーム構造タイプ2)のフレーム構造が定義され得る。
【００５３】
ワイヤレス通信システム100のいくつかの例では、基地局105またはUE115は、アンテナダイバーシティ方式を利用して基地局105とUE115との間の通信品質および信頼性を改善するための複数のアンテナを含み得る。追加または代替として、基地局105またはUE115は、同じまたは異なるコーディングされたデータを搬送する複数の空間レイヤを送信するためにマルチパス環境を利用し得る、多入力多出力(MIMO)技法を利用し得る。
【００５４】
ワイヤレス通信システム100は、複数のセルまたはキャリア上での動作、すなわち、キャリアアグリゲーション(CA)またはデュアル接続動作と呼ばれることがある特徴をサポートし得る。キャリアはまた、コンポーネントキャリア(CC)、レイヤ、チャネルなどと呼ばれることがある。「キャリア」、「コンポーネントキャリア」、「セル」、および「チャネル」という用語は、本明細書では互換的に使用され得る。キャリアアグリゲーションは、FDDコンポーネントキャリアとTDDコンポーネントキャリアの両方とともに使用され得る。
【００５５】
LTE/LTE-Aネットワークでは、UE115は、キャリアアグリゲーションモードまたはデュアル接続モードで動作するとき、最高で5つのコンポーネントキャリア(CC)を使用して通信するように構成され得る。CCのうちの1つまたは複数はDL CCとして構成されることがあり、CCのうちの1つまたは複数はUL CCとして構成されることがある。また、UE115に割り振られるCCのうちの1つがプライマリCC(PCC)として構成されることがあり、UE115に割り振られる残りのCCがセカンダリCC(SCC)として構成されることがある。
【００５６】
いくつかの例では、ワイヤレス通信システム100は、専用無線周波数スペクトル帯域(たとえば、特定の用途のために特定のユーザに免許されているので送信装置がアクセスをめぐって競合しなくてもよい無線周波数スペクトル帯域(たとえば、LTE/LTE-A通信のために使用可能な免許無線周波数スペクトル帯域))、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介した動作をサポートし得る。共有無線周波数スペクトル帯域へのアクセスをめぐる競合に勝つと、送信装置(たとえば、基地局105またはUE115)は、共有無線周波数スペクトル帯域を介して1つまたは複数のCUBSを送信し得る。CUBSは、共有無線周波数スペクトル帯域上で検出可能なエネルギーを提供することによって、共有無線周波数スペクトル帯域を確保し得る。CUBSはまた、送信装置を特定する役割を果たすことがあり、または送信装置および受信装置を同期する役割を果たすことがある。
【００５７】
図2は、本開示の様々な態様による、共有無線周波数スペクトル帯域を使用する様々なシナリオのもとでLTE/LTE-Aが展開され得るワイヤレス通信システム200を示す。より具体的には、図2は、補助ダウンリンクモード(免許支援アクセスモード(licensed assisted access mode)とも呼ばれる)、キャリアアグリゲーションモード、およびLTE/LTE-Aが共有無線周波数スペクトル帯域を使用して展開されるスタンドアロンモードの例を示す。ワイヤレス通信システム200は、図1を参照して説明されたワイヤレス通信システム100の部分の例であり得る。その上、第1の基地局205および第2の基地局205-aは、図1を参照して説明された基地局105のうちの1つまたは複数の態様の例であってよく、第1のUE215、第2のUE215-a、第3のUE215-b、および第4のUE215-cは、図1を参照して説明されたUE115のうちの1つまたは複数の態様の例であってよい。
【００５８】
ワイヤレス通信システム200における補助ダウンリンクモード(たとえば、免許支援アクセスモード)の例では、第1の基地局205は、ダウンリンクチャネル220を使用してOFDMA波形を第1のUE215に送信し得る。ダウンリンクチャネル220は、共有無線周波数スペクトル帯域の中の周波数F1と関連付けられ得る。第1の基地局205は、第1の双方向リンク225を使用してOFDMA波形を第1のUE215に送信することができ、第1の双方向リンク225を使用してSC-FDMA波形を第1のUE215から受信することができる。第1の双方向リンク225は、専用無線周波数スペクトル帯域の中の周波数F4と関連付けられ得る。共有無線周波数スペクトル帯域の中のダウンリンクチャネル220および専用無線周波数スペクトル帯域の中の第1の双方向リンク225は、同時に動作し得る。ダウンリンクチャネル220は、第1の基地局205のためのダウンリンク容量のオフロードを提供することができる。いくつかの例では、ダウンリンクチャネル220は、(たとえば、1つのUEに宛てられる)ユニキャストサービスのために、または(たとえば、いくつかのUEに宛てられる)マルチキャストサービスのために使用され得る。このシナリオは、専用無線周波数スペクトル帯域を使用し、トラフィックまたはシグナリングの輻輳をある程度軽減する必要がある、任意のサービスプロバイダ(たとえば、移動体通信事業者(MNO))について発生することがある。
【００５９】
ワイヤレス通信システム200におけるキャリアアグリゲーションモードの一例では、第1の基地局205は、第2の双方向リンク230を使用してOFDMA波形を第2のUE215-aに送信することができ、OFDMA波形、SC-FDMA波形、またはリソースブロックインターリーブFDMA波形を、第2の双方向リンク230を使用して第2のUE215-aから受信することができる。第2の双方向リンク230は、共有無線周波数スペクトル帯域の中の周波数F1と関連付けられ得る。第1の基地局205はまた、第3の双方向リンク235を使用してOFDMA波形を第2のUE215-aに送信することができ、第3の双方向リンク235を使用してSC-FDMA波形を第2のUE215-aから受信することができる。第3の双方向リンク235は、専用無線周波数スペクトル帯域の中の周波数F2と関連付けられ得る。第2の双方向リンク230は、第1の基地局205にダウンリンク容量およびアップリンク容量のオフロードを提供することができる。上で説明された補助ダウンリンクモード(たとえば、免許支援アクセスモード)のように、このシナリオは、専用無線周波数スペクトルを使用し、トラフィックまたはシグナリングの輻輳の一部を軽減する必要がある任意のサービスプロバイダ(たとえば、MNO)について発生し得る。
【００６０】
ワイヤレス通信システム200におけるキャリアアグリゲーションモードの別の例では、第1の基地局205は、第4の双方向リンク240を使用してOFDMA波形を第3のUE215-bに送信することができ、OFDMA波形、SC-FDMA波形、またはリソースブロックインターリーブ波形を、第4の双方向リンク240を使用して第3のUE215-bから受信することができる。第4の双方向リンク240は、共有無線周波数スペクトル帯域の中の周波数F3と関連付けられ得る。第1の基地局205はまた、第5の双方向リンク245を使用してOFDMA波形を第3のUE215-bに送信することができ、第5の双方向リンク245を使用してSC-FDMA波形を第3のUE215-bから受信することができる。第5の双方向リンク245は、専用無線周波数スペクトル帯域の中の周波数F2と関連付けられ得る。第4の双方向リンク240は、第1の基地局205にダウンリンク容量およびアップリンク容量のオフロードを提供することができる。この例、および上で与えられた例は、例示を目的に提示されており、専用無線周波数スペクトル帯域の中のLTE/LTE-Aを組み合わせて容量のオフロードのために共有無線周波数スペクトル帯域を使用する、他の同様の動作モードまたは展開シナリオが存在し得る。
【００６１】
上で説明されたように、共有無線周波数スペクトル帯域の中のLTE/LTE-Aを使用することによってもたらされる容量のオフロードから利益を得ることができる1つのタイプのサービスプロバイダは、LTE/LTE-Aの専用無線周波数スペクトル帯域へのアクセス権を有する従来のMNOである。これらのサービスプロバイダでは、動作の例は、専用無線周波数スペクトル帯域上のLTE/LTE-Aプライマリコンポーネントキャリア(PCC)と共有無線周波数スペクトル帯域上の少なくとも1つのセカンダリコンポーネントキャリア(SCC)とを使用する、ブートストラップモード(たとえば、補助ダウンリンク、キャリアアグリゲーション)を含み得る。
【００６２】
たとえば、キャリアアグリゲーションモードでは、データおよび制御が専用無線周波数スペクトル帯域において(たとえば、第1の双方向リンク225、第3の双方向リンク235、および第5の双方向リンク245を介して)通信され得るが、たとえば、データは共有無線周波数スペクトル帯域において(たとえば、第2の双方向リンク230および第4の双方向リンク240を介して)通信され得る。共有無線周波数スペクトル帯域を使用するときにサポートされるキャリアアグリゲーション機構は、ハイブリッド周波数分割複信-時分割複信(FDD-TDD)キャリアアグリゲーション、または、複数のコンポーネントキャリアにわたって異なる対称性を伴うTDD-TDDキャリアアグリゲーションに該当し得る。
【００６３】
ワイヤレス通信システム200におけるスタンドアロンモードの一例では、第2の基地局205-aは、双方向リンク250を使用してOFDMA波形を第4のUE215-cに送信することができ、OFDMA波形、SC-FDMA波形、またはリソースブロックインターリーブFDMA波形を、双方向リンク250を使用して第4のUE215-cから受信することができる。双方向リンク250は、共有無線周波数スペクトル帯域の中の周波数F3と関連付けられ得る。スタンドアロンモードは、競技場の中のアクセス(たとえば、ユニキャスト、マルチキャスト)などの、非従来型のワイヤレスアクセスのシナリオにおいて使用され得る。この動作モードのためのサービスプロバイダのタイプの例は、競技場の所有者、ケーブルテレビ会社、イベント主催者、ホテル、企業、または専用無線周波数スペクトル帯域へのアクセスを有しない大企業であり得る。
【００６４】
いくつかの例では、図1もしくは図2を参照して説明される基地局105、205、もしくは205-aのうちの1つ、または図1もしくは図2を参照して説明されるUE115、215、215-a、215-b、もしくは215-cのうちの1つなどの送信装置は、共有無線周波数スペクトル帯域のチャネル(またはキャリア)への(たとえば、共有無線周波数スペクトル帯域の物理チャネルへの)アクセスを得るために、ゲーティング間隔を使用し得る。いくつかの例では、ゲーティング間隔は周期的であり得る。たとえば、周期的なゲーティング間隔は、LTE/LTE-A無線間隔の少なくとも1つの境界と同期され得る。ゲーティング間隔は、欧州電気通信標準化機構(ETSI)において規定されるLBTプロトコル(EN301893)に基づくLBTプロトコルなどの、競合ベースのプロトコルの適用を定義し得る。LBTプロトコルの適用を定義するゲーティング間隔を使用するとき、ゲーティング間隔は、送信装置がいつCCA手順などの競合手順(たとえば、LBT手順)を実行する必要があるかを示し得る。CCA手順の結果は、共有無線周波数スペクトル帯域のチャネルがゲーティング間隔(たとえば、LBT無線フレームまたはLBT送信バースト)のために利用可能であるかどうか、または使用中であるかどうかを、送信装置に示し得る。チャネルが対応するLBT無線フレームまたはLBT送信バーストのために利用可能である(たとえば、使用のために「空いている」)ことをCCA手順が示すとき、送信装置は、LBT無線フレームまたはLBT送信バーストの一部もしくはすべての間に、共有無線周波数スペクトル帯域のチャネルを予約または使用し得る。チャネルが利用可能ではないこと(たとえば、チャネルが別の送信装置により使用中である、または予約されていること)をCCA手順が示すとき、送信装置は、LBT無線フレームまたはLBT送信バーストの間にチャネルを使用することを防がれ得る。
【００６５】
図3は、本開示の様々な態様による、UEによって実行されるRRM測定が測定時間の指示および/またはキャリアの指示と関連付けられ得るメッセージフロー300を示す。メッセージは、基地局305とUE315との間で送信され得る。基地局305は、図1または図2を参照して説明される基地局105、205、または205-aの態様の例であることがあり、UE315は、図1または図2を参照して説明されるUE115、215、215-a、215-b、または215-cの態様の例であることがある。
【００６６】
325において、UE315は、共有無線周波数スペクトル帯域におけるいくつかのアクティブなダウンリンクキャリアのための複数のRRM測定を実行し得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号320(たとえば、セル固有参照信号(CRS)または発見参照信号(DRS))を測定することを含み得る。複数の参照信号320は、複数の時間間隔にわたる可変の送信電力と関連付けられ得る。いくつかの例では、RRM測定は、RSRP測定、RSRQ測定、RSSI測定、またはこれらの組合せのうちの少なくとも1つを含み得る。
【００６７】
330において、基地局305は、参照信号320のための送信電力の指示および送信時間の指示を記録し得る。いくつかの例では、基地局305はさらに、複数の参照信号320のための第1のキャリアの指示を記録し得る。
【００６８】
335において、UE315は、RRM測定の各々を測定時間の指示と関連付け得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。いくつかの例では、RSRP測定、RSRQ測定、およびRSSI測定(または他の測定の構成要素)の各々が、別個の、または異なる測定時間の指示と関連付けられ得る。
【００６９】
340において、UE315は任意選択で、RRM測定の各々を第2のキャリアの指示と関連付け得る。
【００７０】
345において、UE315は、RRM測定に対応するデータと、測定時間の指示と、任意選択で第2のキャリアの指示とを、基地局305に送信し得る。
【００７１】
350において、基地局305は、測定時間の指示と送信時間の指示との間の相関に少なくとも一部基づいて(かつ任意選択で、第1のキャリアの指示との第2のキャリアの指示の相関に基づいて)、送信電力の指示をデータと相関付け得る。
【００７２】
355において、基地局305は任意選択で、相関付けから、RRM測定に対応するデータが受信されない少なくとも1つの参照信号を特定し、または、相関付けから、少なくとも1つの外れ値のRRM測定に対応するデータを特定し得る。
【００７３】
360において、基地局305は、350において実行される相関付けに少なくとも一部基づいて(たとえば、送信電力の変動に基づいて)、または355において行われる特定に少なくとも一部基づいて、RRM測定に対応するデータを調整し得る。
【００７４】
メッセージフロー300は、ダウンリンクキャリアごとの送信電力が、あるLBT無線フレームまたはLBT送信バーストから別のLBT無線フレームまたはLBT送信バーストへと変化し得るときに有用であり得る。いくつかの例では、ダウンリンクキャリアごとの送信電力は、そのいくつかのアクティブなダウンリンクキャリアが変化するので、かつ、一定の総送信電力がアクティブなダウンリンクキャリアの間で分けられるので、変化し得る。そのいくつかのアクティブなダウンリンクキャリアは、各LBT無線フレームまたはLBT送信バーストについて共有無線周波数スペクトル帯域の中の各ダウンリンクキャリアの各々へのアクセスをめぐる競合に勝ったこと、または負けたことの結果として、あるLBT無線フレームまたはLBT送信バーストから別のLBT送信フレームまたはLBT送信バーストに変化し得る。メッセージフロー300において、UE315は、RRM測定を平均またはフィルタリングすることを控えることができ、RRM測定を測定時間の指示および/またはキャリアの指示と関連付けるので、基地局305はできる
【００７５】
図4は、本開示の様々な態様による、共有無線周波数スペクトル帯域における共存するダウンリンクキャリアのためにRRM測定が実行され組み合わされ得るメッセージフロー400を示す。メッセージは、基地局405とUE415との間で送信され得る。基地局405は、図1、図2、または図3を参照して説明される基地局105、205、205-a、または305の態様の例であることがあり、UE415は、図1、図2、または図3を参照して説明されるUE115、215、215-a、215-b、215-c、または315の態様の例であることがある。
【００７６】
420において、UE415は、共有無線周波数スペクトル帯域における共存するダウンリンクキャリアの指示を受信し得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。
【００７７】
430において、UE415は、ダウンリンクキャリアのための複数のRRM測定を実行し得る。いくつかの例では、複数のRRM測定を実行することは、ダウンリンクキャリア上で受信されるいくつかの参照信号425(たとえば、CRSまたはDRS)を測定することを含み得る。そのいくつかの参照信号は、複数の時間間隔にわたる一定の総送信電力と関連付けられ得る。いくつかの例では、RRM測定は、RSRP測定、RSRQ測定、RSSI測定、またはこれらの組合せのうちの少なくとも1つを含み得る。
【００７８】
435において、UE415は、420において受信された指示に少なくとも一部基づいて、共有無線周波数スペクトル帯域の中のある時間間隔にわたってRRM測定を組み合わせ得る。いくつかの例では(たとえば、RSRP測定またはRSRQ測定の場合)、組み合わせることは加算することを含み得る。いくつかの例では(たとえば、RSSI測定の場合)、組み合わせることは平均することを含み得る。
【００７９】
440において、UE415は、組み合わされたRRM測定に少なくとも一部基づく報告を基地局405に送信し得る。445において、UE415は、組み合わされたRRM測定に少なくとも一部基づいて、無線リソース管理を実行し得る。
【００８０】
メッセージフロー400は、基地局405がUE415に影響を及ぼすことなくLBT無線フレームまたはLBT送信バーストのための電力を動的に変更することを可能にし、それは、各参照信号の送信電力が複数のLBT無線フレームまたはLBT送信バーストにわたって変動し得るとしても、UE415によって測定されているそのいくつかの参照信号と関連付けられる総送信電力は一定のままであるからである。メッセージフロー400はまた、共存するダウンリンクキャリアのすべてがアクティブであるときにUE415が共存するダウンリンクキャリアを介して送信を受信することが不可能であり得るにもかかわらず、UE415が基地局のカバレージエリアの端の近くで動作しているときにUE415が基地局405と関連付けられたままになることを可能にし得る。たとえば、基地局405は、共存するダウンリンクキャリアに関して電力の制約を有することがあり、共存するダウンリンクキャリアのうちのアクティブなダウンキャリアの間で、利用可能な一定の総送信電力を分けることがある。より少数のダウンリンクキャリアがアクティブであるとき、ダウンリンクキャリアのうちのアクティブなダウンリンクキャリアの間で一定の総送信電力を分けることは、UE415が基地局405からの送信を適切に受信して復号することを可能にする、ダウンリンクキャリアごとの送信電力をもたらし得る(たとえば、アクティブなダウンリンクキャリアの数がより少ないときにはダウンリンクキャリアごとの送信電力はより大きくなり得る)が、より多数のダウンリンクキャリアがアクティブであるとき、一定の総送信電力を分けることは、UE415が基地局405からの送信を適切に受信して復号することを可能にしない、ダウンリンクキャリアごとの送信電力をもたらし得る(たとえば、アクティブなダウンリンクキャリアの数がより多いときはダウンリンクキャリアごとの送信電力はより小さくなり得る)。しかしながら、UE415の無線リソース管理は、ダウンリンクキャリアごとの送信電力ではなく、共存するダウンリンクキャリアのセットに割り振られた一定の総送信電力に少なくとも一部基づくので、UE415は、アクティブなダウンリンクキャリアごとの送信電力がより小さいときでも、基地局405と関連付けられたままであり得る。
【００８１】
図5は、本開示の様々な態様による、RRM測定の信頼性が決定され基地局に報告され得るメッセージフロー500を示す。メッセージは、基地局505とUE515との間で送信され得る。基地局505は、図1、図2、図3、または図4を参照して説明される基地局105、205、205-a、305、または405の態様の例であることがあり、UE515は、図1、図2、図3、または図4を参照して説明されるUE115、215、215-a、215-b、215-c、315、または415の態様の例であることがある。
【００８２】
525において、UE515は、共有無線周波数スペクトル帯域におけるダウンリンクキャリアのための複数のRRM測定を実行し得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、複数のRRM測定を実行することは、ダウンリンクキャリア上で受信される複数の参照信号520(たとえば、CRSまたはDRS)を測定することを含み得る。参照信号は、ある期間にわたって(たとえば、複数のサブフレームまたは複数のLBT無線フレームもしくはLBT送信バーストにわたって)受信され得る。いくつかの例では、RRM測定は、プロトコルスタックの物理レイヤ(たとえば、L1レイヤ)において実行され得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。他の例では、RRM測定は、各LBT無線フレームまたはLBT送信バーストの間に実行されることがあり、UE615は、物理レイヤから物理レイヤよりも高いプロトコルスタックのレイヤ(たとえば、L3レイヤ)に無効なRRM測定(たとえば、ダウンリンクキャリアが非アクティブであるときに実行されるRRM測定)を与えるのを控えることができる。いくつかの例では、RRM測定は、プロトコルスタックの1つまたは複数のレイヤにおいてフィルタリングされ得る。
【００８３】
530において、UE515は、RRM測定の信頼性を決定し得る。RRM測定は、たとえば、基地局505がいくつかの測定機会のための参照信号を送信することが不可能である(たとえば、いくつかのLBT無線フレームまたはLBT送信バーストのための参照信号を送信することが不可能である)ときに、信頼できなくなることがあり、これは、UE515がいくつかのLBT無線フレームまたはLBT送信バーストのためのRRM測定を実行することが不可能であることを意味する。いくつかの例では、RRM測定の信頼性を決定することは、有効なRRM測定を実行していない経過時間を特定することを含み得る。いくつかの例では、RRM測定の信頼性を決定することは、ある期間の間に実行されるRRM測定の数を数えることを含み得る。
【００８４】
535において、UE515は、RRM測定に対応するデータおよびRRM測定の信頼性の指示を、基地局505に送信し得る。
【００８５】
図6は、本開示の様々な態様による、RRM測定の信頼性の変化が特定され得るメッセージフロー600を示す。メッセージは、基地局605とUE615との間で送信され得る。基地局605は、図1、図2、図3、図4、または図5を参照して説明される基地局105、205、205-a、305、405、または505の態様の例であることがあり、UE615は、図1、図2、図3、図4、または図5を参照して説明されるUE115、215、215-a、215-b、215-c、315、415、または515の態様の例であることがある。
【００８６】
625において、UE615は、共有無線周波数スペクトル帯域におけるダウンリンクキャリアのための複数のRRM測定を実行し得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、複数のRRM測定を実行することは、ダウンリンクキャリア上で受信される複数の参照信号620(たとえば、CRSまたはDRS)を測定することを含み得る。参照信号は、ある期間にわたって(たとえば、複数のサブフレームまたは複数のLBT無線フレームもしくはLBT送信バーストにわたって)受信され得る。いくつかの例では、RRM測定は、プロトコルスタックの物理レイヤ(たとえば、L1レイヤ)において実行され得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。他の例では、RRM測定は、各LBT無線フレームまたはLBT送信バーストの間に実行されることがあり、UE615は、物理レイヤから物理レイヤよりも高いプロトコルスタックのレイヤ(たとえば、L3レイヤ)に無効なRRM測定(たとえば、ダウンリンクキャリアが非アクティブであるときに実行されるRRM測定)を与えるのを控えることができる。いくつかの例では、RRM測定は、プロトコルスタックの1つまたは複数のレイヤにおいてフィルタリングされ得る。
【００８７】
630において、UE615は、RRM測定の信頼性の変化を特定し得る。RRM測定は、たとえば、基地局505がいくつかの測定機会のための参照信号を送信することが不可能である(たとえば、いくつかのLBT無線フレームまたはLBT送信バーストのための参照信号を送信することが不可能である)ときに、信頼できなくなることがあり、これは、UE515がいくつかのLBT無線フレームまたはLBT送信バーストのためのRRM測定を実行することが不可能であることを意味する。いくつかの例では、RRM測定の信頼性の変化を特定することは、有効なRRM測定を実行していない経過時間の変化を特定することを含み得る。いくつかの例では、RRM測定の信頼性の変化を特定することは、ある期間の間に実行されたRRM測定の数の変化を特定することを含み得る。
【００８８】
635において、UE615は、RRM測定の信頼性の変化を特定したことに応答して、いくつかの動作のうちの1つを実行し得る。いくつかの例では、動作は、ダウンリンクキャリアに対応するセルのためのRRM測定フィルタ(たとえば、L3レイヤフィルタ)をリセットすること、基地局605への測定報告640の送信をトリガすること、RRM測定に対応するデータの基地局605への送信を控えること、ダウンリンクキャリアに対応するセルを検出不可能であるものとして特定すること、またはこれらの組合せのうちの少なくとも1つを含み得る。
【００８９】
図7は、本開示の様々な態様による、ワイヤレス通信で使用するための装置715のブロック図700を示す。装置715は、図1、図2、図3、図4、図5、または図6を参照して説明されたUE115、215、215-a、215-b、215-c、315、415、515、または615のうちの1つまたは複数の態様の例であり得る。装置715はまた、プロセッサであることがあり、またはプロセッサを含むことがある。装置715は、受信機710、ワイヤレス通信マネージャ720、または送信機730を含み得る。これらの構成要素の各々は互いに通信していることがある。
【００９０】
装置715の構成要素は、ハードウェアにおける適用可能な機能の一部またはすべてを実行するように適合された1つまたは複数の特定用途向け集積回路(ASIC)を使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、フィールドプログラマブルゲートアレイ(FPGA)、システムオンチップ(SoC)、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【００９１】
いくつかの例では、受信機710は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つの無線周波数(RF)受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機710は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、第1の無線周波数スペクトル帯域または第2の無線周波数スペクトル帯域を介して確立され得る。
【００９２】
いくつかの例では、送信機730は、専用無線周波数スペクトル帯域または共有無線周波数スペクトル帯域を介して送信するように動作可能な少なくとも1つのRF送信機などの、少なくとも1つのRF送信機を含み得る。送信機730は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【００９３】
いくつかの例では、ワイヤレス通信マネージャ720は、装置715のためのワイヤレス通信の1つまたは複数の態様を管理するために使用され得る。いくつかの例では、ワイヤレス通信マネージャ720の一部は、受信機710または送信機730に組み込まれることがあり、もしくはそれらと共有されることがある。いくつかの例では、ワイヤレス通信マネージャ720は、RRM測定マネージャ735、RRM測定パラメータインジケータ740、またはRRM測定送信マネージャ745を含み得る。
【００９４】
RRM測定マネージャ735は、共有無線周波数スペクトル帯域におけるいくつかのアクティブなダウンリンクキャリアのための複数のRRM測定を実行するために使用され得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号(たとえば、CRSまたはDRS)を測定することを含み得る。複数の参照信号は、複数の時間間隔にわたる可変の送信電力と関連付けられ得る。いくつかの例では、RRM測定は、RSRP測定、RSRQ測定、RSSI測定、またはこれらの組合せのうちの少なくとも1つを含み得る。
【００９５】
RRM測定パラメータインジケータ740は、RRM測定の各々を測定時間の指示と関連付けるために使用され得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。いくつかの例では、RSRP測定、RSRQ測定、およびRSSI測定(または他の測定の構成要素)の各々が、別個の、または異なる測定時間の指示と関連付けられ得る。
【００９６】
RRM測定送信マネージャ745は、RRM測定に対応するデータと測定時間の指示とを、基地局に送信するために使用され得る。
【００９７】
図8は、本開示の様々な態様による、ワイヤレス通信で使用するための装置815のブロック図800を示す。装置815は、図1、図2、図3、図4、図5、もしくは図6を参照して説明されたUE115、215、215-a、215-b、215-c、315、415、515、もしくは615のうちの1つまたは複数の態様、または図7を参照して説明された装置715の態様の例であり得る。装置815はまた、プロセッサであることがあり、またはプロセッサを含むことがある。装置815は、受信機810、ワイヤレス通信マネージャ820、または送信機830を含み得る。これらの構成要素の各々は互いに通信していることがある。
【００９８】
装置815の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【００９９】
いくつかの例では、受信機810は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機810は、いくつかの場合、専用無線周波数スペクトル帯域および共有無線周波数スペクトル帯域のために別々の受信機を含み得る。いくつかの例では、別々の受信機は、専用無線周波数スペクトル帯域を介して通信するためのLTE/LTE-A受信機(たとえば、専用RFスペクトル帯域のためのLTE/LTE-A受信機812)、および共有無線周波数スペクトル帯域を介して通信するためのLTE/LTE-A受信機(たとえば、共有RFスペクトル帯域のためのLTE/LTE-A受信機814)の形態をとり得る。専用RFスペクトル帯域のためのLTE/LTE-A受信機812または共有RFスペクトル帯域のためのLTE/LTE-A受信機814を含む受信機810は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、専用無線周波数スペクトル帯域または共有無線周波数スペクトル帯域を介して確立され得る。
【０１００】
いくつかの例では、送信機830は、専用無線周波数スペクトル帯域または共有無線周波数スペクトル帯域を介して送信するように動作可能な少なくとも1つのRF送信機などの、少なくとも1つのRF送信機を含み得る。送信機830は、いくつかの場合、専用無線周波数スペクトル帯域および共有無線周波数スペクトル帯域のために別々の送信機を含み得る。いくつかの例では、別々の送信機は、専用無線周波数スペクトル帯域を介して通信するためのLTE/LTE-A送信機(たとえば、専用RFスペクトル帯域のためのLTE/LTE-A送信機832)、および共有無線周波数スペクトル帯域を介して通信するためのLTE/LTE-A送信機(たとえば、共有RFスペクトル帯域のためのLTE/LTE-A送信機834)の形態をとり得る。専用RFスペクトル帯域のためのLTE/LTE-A送信機832または共有RFスペクトル帯域のためのLTE/LTE-A送信機834を含む送信機830は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１０１】
いくつかの例では、ワイヤレス通信マネージャ820は、装置815のワイヤレス通信の1つまたは複数の態様を管理するために使用され得る。いくつかの例では、ワイヤレス通信マネージャ820の一部は、受信機810または送信機830に組み込まれることがあり、もしくはそれらと共有されることがある。いくつかの例では、ワイヤレス通信マネージャ820は、RRM測定マネージャ835、RRM測定パラメータインジケータ840、またはRRM測定送信マネージャ845を含み得る。
【０１０２】
RRM測定マネージャ835は、共有無線周波数スペクトル帯域におけるいくつかのアクティブなダウンリンクキャリアのための複数のRRM測定を実行するために使用され得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号(たとえば、CRSまたはDRS)を測定することを含み得る。複数の参照信号は、複数の時間間隔にわたる可変の送信電力と関連付けられ得る。いくつかの例では、プロトコルスタックの物理レイヤにおいて、RRM測定が実行され得る(またはRRM測定マネージャ835が動作し得る)。いくつかの例では、RRM測定は、RSRP測定、RSRQ測定、RSSI測定、またはこれらの組合せのうちの少なくとも1つを含み得る。
【０１０３】
RRM測定パラメータインジケータ840は、測定時間インジケータ850またはキャリアインジケータ855を含み得る。測定時間インジケータ850は、RRM測定の各々を測定時間の指示と関連付けるために使用され得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。キャリアインジケータ855は、RRM測定の各々をキャリアの指示と関連付けるために使用され得る。いくつかの例では、プロトコルスタックの物理レイヤにおいて、RRM測定が測定時間の指示またはキャリアの指示と関連付けられ得る(またはRRM測定パラメータインジケータ840が動作し得る)。いくつかの例では、RSRP測定、RSRQ測定、およびRSSI測定(または他の測定の構成要素)の各々が、別個の、または異なる測定時間の指示と関連付けられ得る。
【０１０４】
RRM測定送信マネージャ845は、RRM測定に対応するデータと、測定時間の指示と、任意選択でキャリアの指示とを、基地局に送信するために使用され得る。いくつかの例では、RRM測定送信マネージャ845は、内部報告マネージャ860または外部報告マネージャ865を含み得る。内部報告マネージャ860は、RRM測定に対応するデータと、測定時間の指示と、任意選択でキャリアの指示とを、プロトコルスタックの物理レイヤ(たとえば、L1レイヤ)から物理レイヤよりも高いプロトコルスタックのレイヤ(たとえば、L3レイヤ)に報告するために使用され得る。外部報告マネージャ865は、RRM測定に対応するデータと、測定時間の指示と、任意選択でキャリアの指示とを、物理レイヤよりも高いプロトコルスタックのレイヤ(たとえば、L3レイヤ)から基地局に報告するために使用され得る。いくつかの例では、RRM測定に対応するデータ、測定時間の指示、および任意選択でキャリアの指示は、物理レイヤから基地局へ(たとえば、L1レイヤからL3レイヤへ、基地局へ)送信される、フィルタリングおよび平均化が行われていない値を含み得る。
【０１０５】
図9は、本開示の様々な態様による、ワイヤレス通信で使用するための装置915のブロック図900を示す。装置915は、図1、図2、図3、図4、図5、または図6を参照して説明されたUE115、215、215-a、215-b、215-c、315、415、515、または615のうちの1つまたは複数の態様の例であり得る。装置915はまた、プロセッサであることがあり、またはプロセッサを含むことがある。装置915は、受信機910、ワイヤレス通信マネージャ920、または送信機930を含み得る。これらの構成要素の各々は互いに通信していることがある。
【０１０６】
装置915の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１０７】
いくつかの例では、受信機910は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機910は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、第1の無線周波数スペクトル帯域または第2の無線周波数スペクトル帯域を介して確立され得る。
【０１０８】
いくつかの例では、送信機930は、専用無線周波数スペクトル帯域または共有無線周波数スペクトル帯域を介して送信するように動作可能な少なくとも1つのRF送信機などの、少なくとも1つのRF送信機を含み得る。送信機930は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１０９】
いくつかの例では、ワイヤレス通信マネージャ920は、装置915のワイヤレス通信の1つまたは複数の態様を管理するために使用され得る。いくつかの例では、ワイヤレス通信マネージャ920の一部は、受信機910または送信機930に組み込まれることがあり、もしくはそれらと共有されることがある。いくつかの例では、ワイヤレス通信マネージャ920は、共存ダウンリンクキャリア識別子935、RRM測定マネージャ940、RRM測定結合器945、またはRRM測定報告送信機950を含み得る。
【０１１０】
共存ダウンリンクキャリア識別子935は、共有無線周波数スペクトル帯域における共存するダウンリンクキャリアの指示を受信するために使用され得る。
【０１１１】
RRM測定マネージャ940は、ダウンリンクキャリアのための複数のRRM測定を実行するために使用され得る。いくつかの例では、複数のRRM測定を実行することは、ダウンリンクキャリア上で受信されるいくつかの参照信号(たとえば、CRSまたはDRS)を測定することを含み得る。そのいくつかの参照信号は、複数の時間間隔にわたる一定の総送信電力と関連付けられ得る。いくつかの例では、RRM測定は、RSRP測定、RSRQ測定、RSSI測定、またはこれらの組合せのうちの少なくとも1つを含み得る。
【０１１２】
RRM測定結合器945は、受信された指示に少なくとも一部基づいて、共有無線周波数スペクトル帯域の中のある時間間隔にわたってRRM測定を組み合わせるために使用され得る。いくつかの例では(たとえば、RSRP測定またはRSRQ測定の場合)、組み合わせることは加算することを含み得る。いくつかの例では(たとえば、RSSI測定の場合)、組み合わせることは平均することを含み得る。
【０１１３】
RRM測定報告送信機950は、組み合わされたRRM測定に少なくとも一部基づく報告を基地局に送信するために使用され得る。
【０１１４】
図10は、本開示の様々な態様による、ワイヤレス通信で使用するための装置1015のブロック図1000を示す。装置1015は、図1、図2、図3、図4、図5、もしくは図6を参照して説明されたUE115、215、215-a、215-b、215-c、315、415、515、もしくは615のうちの1つまたは複数の態様、または図10を参照して説明された装置1015の態様の例であり得る。装置1015はまた、プロセッサであることがあり、またはプロセッサを含むことがある。装置1015は、受信機1010、ワイヤレス通信マネージャ1020、または送信機1030を含み得る。これらの構成要素の各々は互いに通信していることがある。
【０１１５】
装置1015の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１１６】
いくつかの例では、受信機1010は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機1010は、いくつかの場合、専用無線周波数スペクトル帯域および共有無線周波数スペクトル帯域のために別々の受信機を含み得る。いくつかの例では、別々の受信機は、専用無線周波数スペクトル帯域を介して通信するためのLTE/LTE-A受信機(たとえば、専用RFスペクトル帯域のためのLTE/LTE-A受信機1012)、および共有無線周波数スペクトル帯域を介して通信するためのLTE/LTE-A受信機(たとえば、共有RFスペクトル帯域のためのLTE/LTE-A受信機1014)の形態をとり得る。専用RFスペクトル帯域のためのLTE/LTE-A受信機1012または共有RFスペクトル帯域のためのLTE/LTE-A受信機1014を含む受信機1010は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、専用無線周波数スペクトル帯域または共有無線周波数スペクトル帯域を介して確立され得る。
【０１１７】
いくつかの例では、送信機1030は、専用無線周波数スペクトル帯域または共有無線周波数スペクトル帯域を介して送信するように動作可能な少なくとも1つのRF送信機などの、少なくとも1つのRF送信機を含み得る。送信機1030は、いくつかの場合、専用無線周波数スペクトル帯域および共有無線周波数スペクトル帯域のために別々の送信機を含み得る。いくつかの例では、別々の送信機は、専用無線周波数スペクトル帯域を介して通信するためのLTE/LTE-A送信機(たとえば、専用RFスペクトル帯域のためのLTE/LTE-A送信機1032)、および共有無線周波数スペクトル帯域を介して通信するためのLTE/LTE-A送信機(たとえば、共有RFスペクトル帯域のためのLTE/LTE-A送信機1034)の形態をとり得る。専用RFスペクトル帯域のためのLTE/LTE-A送信機1032または共有RFスペクトル帯域のためのLTE/LTE-A送信機1034を含む送信機1030は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１１８】
いくつかの例では、ワイヤレス通信マネージャ1020は、装置1015のワイヤレス通信の1つまたは複数の態様を管理するために使用され得る。いくつかの例では、ワイヤレス通信マネージャ1020の一部は、受信機1010または送信機1030に組み込まれることがあり、もしくはそれらと共有されることがある。いくつかの例では、ワイヤレス通信マネージャ1020は、共存ダウンリンクキャリア識別子1035、RRM測定マネージャ1040、RRM測定結合器1045、またはRRM測定報告送信機1050、または無線リソースマネージャ1055を含み得る。
【０１１９】
共存ダウンリンクキャリア識別子1035は、共有無線周波数スペクトル帯域における共存するダウンリンクキャリアの指示を受信するために使用され得る。
【０１２０】
RRM測定マネージャ1040は、ダウンリンクキャリアのための複数のRRM測定を実行するために使用され得る。いくつかの例では、複数のRRM測定を実行することは、ダウンリンクキャリア上で受信されるいくつかの参照信号(たとえば、CRSまたはDRS)を測定することを含み得る。そのいくつかの参照信号は、複数の時間間隔にわたる一定の総送信電力と関連付けられ得る。いくつかの例では、RRM測定は、RSRP測定、RSRQ測定、RSSI測定、またはこれらの組合せのうちの少なくとも1つを含み得る。
【０１２１】
RRM測定結合器1045は、受信された指示に少なくとも一部基づいて、共有無線周波数スペクトル帯域の中のある時間間隔にわたってRRM測定を組み合わせるために使用され得る。いくつかの例では(たとえば、RSRP測定またはRSRQ測定の場合)、組み合わせることは加算することを含み得る。いくつかの例では(たとえば、RSSI測定の場合)、組み合わせることは平均することを含み得る。いくつかの例では、RRM測定結合器1045はまた、複数の時間間隔にわたって、組み合わされたRRM測定を平均するために使用され得る。
【０１２２】
RRM測定報告送信機1050は、組み合わされたRRM測定に少なくとも一部基づく報告を基地局に送信するために使用され得る。いくつかの例では、報告は、組み合わされたRRM測定の平均を含み得る。
【０１２３】
無線リソースマネージャ1055は、組み合わされたRRM測定に少なくとも一部基づいて、無線リソース管理を実行するために使用され得る。いくつかの例では、無線リソース管理を実行することは、基地局と関連付けられた状態にとどまるかどうかを決定すること、または関連付けもしくはハンドオーバーのための基地局候補を特定することのうちの少なくとも1つを含み得る。
【０１２４】
図11は、本開示の様々な態様による、ワイヤレス通信で使用するための装置1115のブロック図1100を示す。装置1115は、図1、図2、図3、図4、図5、または図6を参照して説明されたUE115、215、215-a、215-b、215-c、315、415、515、または615のうちの1つまたは複数の態様の例であり得る。装置1115はまた、プロセッサであることがあり、またはプロセッサを含むことがある。装置1115は、受信機1110、ワイヤレス通信マネージャ1120、または送信機1130を含み得る。これらの構成要素の各々は互いに通信していることがある。
【０１２５】
装置1115の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１２６】
いくつかの例では、受信機1110は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機1110は、いくつかの場合、専用無線周波数スペクトル帯域および共有無線周波数スペクトル帯域のために別々の受信機を含み得る。いくつかの例では、別々の受信機は、専用無線周波数スペクトル帯域を介して通信するためのLTE/LTE-A受信機(たとえば、専用RFスペクトル帯域のためのLTE/LTE-A受信機1112)、および共有無線周波数スペクトル帯域を介して通信するためのLTE/LTE-A受信機(たとえば、共有RFスペクトル帯域のためのLTE/LTE-A受信機1114)の形態をとり得る。専用RFスペクトル帯域のためのLTE/LTE-A受信機1112または共有RFスペクトル帯域のためのLTE/LTE-A受信機1114を含む受信機1110は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、専用無線周波数スペクトル帯域または共有無線周波数スペクトル帯域を介して確立され得る。
【０１２７】
いくつかの例では、送信機1130は、専用無線周波数スペクトル帯域または共有無線周波数スペクトル帯域を介して送信するように動作可能な少なくとも1つのRF送信機などの、少なくとも1つのRF送信機を含み得る。送信機1130は、いくつかの場合、専用無線周波数スペクトル帯域および共有無線周波数スペクトル帯域のために別々の送信機を含み得る。いくつかの例では、別々の送信機は、専用無線周波数スペクトル帯域を介して通信するためのLTE/LTE-A送信機(たとえば、専用RFスペクトル帯域のためのLTE/LTE-A送信機1132)、および共有無線周波数スペクトル帯域を介して通信するためのLTE/LTE-A送信機(たとえば、共有RFスペクトル帯域のためのLTE/LTE-A送信機1134)の形態をとり得る。専用RFスペクトル帯域のためのLTE/LTE-A送信機1132または共有RFスペクトル帯域のためのLTE/LTE-A送信機1134を含む送信機1130は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１２８】
いくつかの例では、ワイヤレス通信マネージャ1120は、装置1115のワイヤレス通信の1つまたは複数の態様を管理するために使用され得る。いくつかの例では、ワイヤレス通信マネージャ1120の一部は、受信機1110または送信機1130に組み込まれることがあり、もしくはそれらと共有されることがある。いくつかの例では、ワイヤレス通信マネージャ1120は、RRM測定マネージャ1135、RRM測定信頼性インジケータ1140、またはRRM測定送信マネージャ1145を含み得る。
【０１２９】
RRM測定マネージャ1135は、共有無線周波数スペクトル帯域におけるダウンリンクキャリアのための複数のRRM測定を実行するために使用され得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。いくつかの例では、複数のRRM測定を実行することは、ダウンリンクキャリア上で受信される複数の参照信号(たとえば、CRSまたはDRS)を測定することを含み得る。
【０１３０】
RRM信頼性インジケータ1140は、RRM測定の信頼性を決定するために使用され得る。いくつかの例では、RRM測定の信頼性を決定することは、有効なRRM測定を実行していない経過時間を特定することを含み得る。いくつかの例では、RRM測定の信頼性を決定することは、ある期間の間に実行されるRRM測定の数を数えることを含み得る。
【０１３１】
RRM測定送信マネージャ1145は、RRM測定に対応するデータおよびRRM測定の信頼性の指示を基地局に送信するために使用され得る。
【０１３２】
図12は、本開示の様々な態様による、ワイヤレス通信で使用するための装置1215のブロック図1200を示す。装置1215は、図1、図2、図3、図4、図5、または図6を参照して説明されたUE115、215、215-a、215-b、215-c、315、415、515、または615のうちの1つまたは複数の態様の例であり得る。装置1215はまた、プロセッサであることがあり、またはプロセッサを含むことがある。装置1215は、受信機1210、ワイヤレス通信マネージャ1220、または送信機1230を含み得る。これらの構成要素の各々は互いに通信していることがある。
【０１３３】
装置1215の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１３４】
いくつかの例では、受信機1210は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機1210は、いくつかの場合、専用無線周波数スペクトル帯域および共有無線周波数スペクトル帯域のために別々の受信機を含み得る。いくつかの例では、別々の受信機は、専用無線周波数スペクトル帯域を介して通信するためのLTE/LTE-A受信機(たとえば、専用RFスペクトル帯域のためのLTE/LTE-A受信機1212)、および共有無線周波数スペクトル帯域を介して通信するためのLTE/LTE-A受信機(たとえば、共有RFスペクトル帯域のためのLTE/LTE-A受信機1214)の形態をとり得る。専用RFスペクトル帯域のためのLTE/LTE-A受信機1212または共有RFスペクトル帯域のためのLTE/LTE-A受信機1214を含む受信機1210は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、専用無線周波数スペクトル帯域または共有無線周波数スペクトル帯域を介して確立され得る。
【０１３５】
いくつかの例では、送信機1230は、専用無線周波数スペクトル帯域または共有無線周波数スペクトル帯域を介して送信するように動作可能な少なくとも1つのRF送信機などの、少なくとも1つのRF送信機を含み得る。送信機1230は、いくつかの場合、専用無線周波数スペクトル帯域および共有無線周波数スペクトル帯域のために別々の送信機を含み得る。いくつかの例では、別々の送信機は、専用無線周波数スペクトル帯域を介して通信するためのLTE/LTE-A送信機(たとえば、専用RFスペクトル帯域のためのLTE/LTE-A送信機1232)、および共有無線周波数スペクトル帯域を介して通信するためのLTE/LTE-A送信機(たとえば、共有RFスペクトル帯域のためのLTE/LTE-A送信機1234)の形態をとり得る。専用RFスペクトル帯域のためのLTE/LTE-A送信機1232または共有RFスペクトル帯域のためのLTE/LTE-A送信機1234を含む送信機1230は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１３６】
いくつかの例では、ワイヤレス通信マネージャ1220は、装置1215のワイヤレス通信の1つまたは複数の態様を管理するために使用され得る。いくつかの例では、ワイヤレス通信マネージャ1220の一部は、受信機1210または送信機1230に組み込まれることがあり、もしくはそれらと共有されることがある。いくつかの例では、ワイヤレス通信マネージャ1220は、RRM測定マネージャ1235、RRM測定信頼性変化インジケータ1240、任意選択のRRM測定フィルタマネージャ1245、任意選択のRRM測定送信マネージャ1250、または任意選択のセルマネージャ1255を含み得る。
【０１３７】
RRM測定マネージャ1235は、共有無線周波数スペクトル帯域の中のダウンリンクキャリアのために複数のRRM測定を実行するために使用され得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。いくつかの例では、複数のRRM測定を実行することは、ダウンリンクキャリア上で受信される複数の参照信号(たとえば、CRSまたはDRS)を測定することを含み得る。
【０１３８】
RRM測定信頼性変化インジケータ1240は、RRM測定の信頼性の変化を特定するために使用され得る。いくつかの例では、RRM測定の信頼性の変化を特定することは、有効なRRM測定を実行していない経過時間の変化を特定することを含み得る。いくつかの例では、RRM測定の信頼性の変化を特定することは、ある期間の間に実行されたRRM測定の数の変化を特定することを含み得る。
【０１３９】
RRM測定フィルタマネージャ1245は、RRM測定信頼性変化インジケータ1240がRRM測定の信頼性の変化を特定したことに応答して、ダウンリンクキャリアに対応するセルのためのRRM測定フィルタを任意選択でリセットするために使用され得る。
【０１４０】
RRM測定送信マネージャ1250は、RRM測定信頼性変化インジケータ1240がRRM測定の信頼性の変化を特定したことに応答して、任意選択で、基地局への測定報告の送信をトリガし、またはRRM測定に対応するデータの基地局への送信を控えるために使用され得る。
【０１４１】
セルマネージャ1255は、任意選択で、RRM測定信頼性変化インジケータ1240がRRM測定の信頼性の変化を特定したことに応答して、ダウンリンクキャリアに対応するセルを検出不可能であるものとして特定するために使用され得る。
【０１４２】
図13は、本開示の様々な態様による、ワイヤレス通信で使用するための装置1305のブロック図1300を示す。装置1305は、図1、図2、図3、図4、図5、または図6を参照して説明された基地局105、205、205-a、305、405、505、または605のうちの1つまたは複数の態様の例であり得る。装置1305はまた、プロセッサであることがあり、またはプロセッサを含むことがある。装置1305は、受信機1310、ワイヤレス通信マネージャ1320、または送信機1330を含み得る。これらの構成要素の各々は互いに通信していることがある。
【０１４３】
装置1305の構成要素は、ハードウェアにおける適用可能な機能の一部またはすべてを実行するように適合された1つまたは複数のASICを使用して、個別にまたは集合的に実装され得る。代替として、機能は、1つまたは複数の集積回路上で、1つまたは複数の他の処理ユニット(または、コア)によって実行され得る。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１４４】
いくつかの例では、受信機1310は、専用無線周波数スペクトル帯域(たとえば、特定の用途のために特定のユーザに免許されているので送信装置がアクセスをめぐって競合しなくてもよい無線周波数スペクトル帯域)、または共有無線周波数スペクトル帯域(たとえば、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域))を介して送信を受信するように動作可能な少なくとも1つのRF受信機などの、少なくとも1つのRF受信機を含み得る。いくつかの例では、専用無線周波数スペクトル帯域または共有無線周波数スペクトル帯域は、たとえば、図1、図2、図3、図4、図5、または図6を参照して説明されたように、LTE/LTE-A通信のために使用され得る。受信機1310は、いくつかの場合、専用無線周波数スペクトル帯域および共有無線周波数スペクトル帯域のために別々の受信機を含み得る。いくつかの例では、別々の受信機は、専用無線周波数スペクトル帯域を介して通信するためのLTE/LTE-A受信機(たとえば、専用RFスペクトル帯域のためのLTE/LTE-A受信機1312)、および共有無線周波数スペクトル帯域を介して通信するためのLTE/LTE-A受信機(たとえば、共有RFスペクトル帯域のためのLTE/LTE-A受信機1314)の形態をとり得る。専用RFスペクトル帯域のためのLTE/LTE-A受信機1312または共有RFスペクトル帯域のためのLTE/LTE-A受信機1314を含む受信機1310は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を受信するために使用され得る。通信リンクは、専用無線周波数スペクトル帯域または共有無線周波数スペクトル帯域を介して確立され得る。
【０１４５】
いくつかの例では、送信機1330は、専用無線周波数スペクトル帯域または共有無線周波数スペクトル帯域を介して送信するように動作可能な少なくとも1つのRF送信機などの、少なくとも1つのRF送信機を含み得る。送信機1330は、いくつかの場合、専用無線周波数スペクトル帯域および共有無線周波数スペクトル帯域のために別々の送信機を含み得る。いくつかの例では、別々の送信機は、専用無線周波数スペクトル帯域を介して通信するためのLTE/LTE-A送信機(たとえば、専用RFスペクトル帯域のためのLTE/LTE-A送信機1332)、および共有無線周波数スペクトル帯域を介して通信するためのLTE/LTE-A送信機(たとえば、共有RFスペクトル帯域のためのLTE/LTE-A送信機1334)の形態をとり得る。専用RFスペクトル帯域のためのLTE/LTE-A送信機1332または共有RFスペクトル帯域のためのLTE/LTE-A送信機1334を含む送信機1330は、図1または図2を参照して説明されたワイヤレス通信システム100または200の1つまたは複数の通信リンクなどの、ワイヤレス通信システムの1つまたは複数の通信リンクを介して、様々なタイプのデータまたは制御信号(すなわち、送信)を送信するために使用され得る。通信リンクは、専用無線周波数スペクトル帯域または共有無線周波数スペクトル帯域を介して確立され得る。
【０１４６】
いくつかの例では、ワイヤレス通信マネージャ1320は、装置1305のワイヤレス通信の1つまたは複数の態様を管理するために使用され得る。いくつかの例では、ワイヤレス通信マネージャ1320の一部は、受信機1310または送信機1330に組み込まれることがあり、もしくはそれらと共有されることがある。いくつかの例では、ワイヤレス通信マネージャ720は、参照信号送信機1335、RRM測定受信機1340、送信電力相関器1345、任意選択のRRMデータ分析器1350、またはRRMデータ調整器1355を含み得る。
【０１４７】
参照信号送信機1335は、UEに送信される複数の参照信号(たとえば、CRSまたはDRS)のための送信電力の指示および送信時間の指示を記録するために使用され得る。いくつかの例では、参照信号送信機1335はまた、複数の参照信号のための第1のキャリアの指示を記録し得る。いくつかの例では、参照信号は、共有無線周波数スペクトル帯域の中のいくつかのアクティブなダウンリンクキャリア上で送信され得る。いくつかの例では、アクティブなダウンリンクキャリアは、共有無線周波数スペクトル帯域へのアクセスをめぐる競合に送信装置が勝った、1つまたは複数のキャリアのセットを含み得る。
【０１４８】
RRM測定受信機1340は、UEから、複数のRRM測定に対応するデータと、RRM測定と関連付けられる測定時間の指示と、任意選択でRRM測定と関連付けられる第2のキャリアの指示とを受信するために使用され得る。RRM測定は、参照信号送信機1335を使用して送信される参照信号(たとえば、参照信号の測定)に少なくとも一部基づき得る。
【０１４９】
送信電力相関器1345は、測定時間の指示と送信時間の指示との間の相関に少なくとも一部基づいて(かつ任意選択で、第1のキャリアの指示との第2のキャリアの指示の相関に基づいて)、送信電力の指示をデータと相関付けるために使用され得る。
【０１５０】
RRMデータ分析器1350は、相関付けから、RRM測定に対応するデータが受信されていない少なくとも1つの参照信号を任意選択で特定するために使用され得る。RRMデータ分析器1350はまた、相関付けから、少なくとも1つの外れ値のRRM測定に対応するデータを任意選択で特定するために使用され得る。
【０１５１】
RRMデータ調整器1355は、(送信電力相関器1345によって実行される)相関付けに少なくとも一部基づいて(RRM測定受信機1340によって受信される)データを調整するために使用され得る。
【０１５２】
図14は、本開示の様々な態様による、ワイヤレス通信において使用するためのUE1415のブロック図1400を示す。UE1415は、パーソナルコンピュータ(たとえば、ラップトップコンピュータ、ネットブックコンピュータ、タブレットコンピュータなど)、携帯電話、PDA、DVR、インターネットアプライアンス、ゲームコンソール、電子書籍リーダなどに含まれることがあり、またはそれらの一部であることがある。いくつかの例では、UE1415は、モバイル動作を容易にするために、小型バッテリーなどの内部電源(図示せず)を有し得る。いくつかの例では、UE1415は、図1、図2、図3、図4、図5、もしくは図6を参照して説明されたUE115、215、215-a、215-b、215-c、315、415、515、もしくは615のうちの1つまたは複数の態様、または図7、図8、図9、図10、図11、もしくは図12を参照して説明された装置715、815、915、1015、1115、もしくは1215のうちの1つまたは複数の態様の例であり得る。UE1415は、図1、図2、図3、図4、図5、図6、図7、図8、図9、図10、図11、または図12を参照して説明された、UEまたは装置の技法および機能の少なくとも一部を実装するように構成され得る。
【０１５３】
UE1415は、UEプロセッサ1410、UEメモリ1420、少なくとも1つのUEトランシーバ(UEトランシーバ1430によって代表される)、少なくとも1つのUEアンテナ(UEアンテナ1440によって代表される)、またはUEワイヤレス通信マネージャ1450を含み得る。これらの構成要素の各々は、1つまたは複数のバス1435を介して、直接または間接的に、互いに通信していることがある。
【０１５４】
UEメモリ1420は、ランダムアクセスメモリ(RAM)、または読取り専用メモリ(ROM)を含み得る。UEメモリ1420は、実行されると、UEプロセッサモジュール1410に、たとえば、RRM測定の実行、RRM測定に対応するデータおよび報告の送信、ならびに無線リソース管理動作の実行を含む、ワイヤレス通信に関して本明細書において説明される様々な機能を実行させるように構成された命令を含む、コンピュータ可読のコンピュータ実行可能コード1425を記憶し得る。代替的に、コンピュータ実行可能コード1425は、UEプロセッサ1410によって直接実行可能ではないことがあるが、(たとえば、コンパイルされ実行されると)本明細書において説明された様々な機能をUE1415に実行させるように構成されることがある。
【０１５５】
プロセッサ1410は、インテリジェントハードウェアデバイス、たとえば、中央演算処理装置(CPU)、マイクロコントローラ、ASICなどを含み得る。UEプロセッサ1410は、UEトランシーバ1430を通じて受信された情報、または、UEアンテナ1440を通じた送信のためにUEトランシーバ1430に送られるべき情報を処理し得る。UEプロセッサ1410は、単独で、またはUEワイヤレス通信マネージャ1450とともに、専用無線周波数スペクトル帯域または共有無線周波数スペクトル帯域を介して通信すること(またはそれを介した通信を管理すること)の様々な態様を扱い得る。専用無線周波数スペクトル帯域は、送信装置がアクセスをめぐって競合しなくてもよい無線スペクトル帯域(たとえば、LTE/LTE-A通信のために使用可能な免許無線周波数スペクトル帯域などの、特定の用途のために特定のユーザに免許されている無線周波数スペクトル帯域)を含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。
【０１５６】
UEトランシーバ1430は、パケットを変調し、変調されたパケットを送信のためにUEアンテナ1440に与え、UEアンテナ1440から受信されたパケットを復調するように構成されたモデムを含み得る。UEトランシーバ1430は、いくつかの例では、1つまたは複数のUE送信機および1つまたは複数の別個のUE受信機として実装され得る。UEトランシーバ1430は、専用無線周波数スペクトル帯域または共有無線周波数スペクトル帯域における通信をサポートし得る。UEトランシーバ1430は、図1、図2、図3、図4、図5、もしくは図6を参照して説明された基地局105、205、205-a、305、405、505、もしくは605のうちの1つまたは複数、または、図13を参照して説明された装置1305と、UEアンテナ1440を介して双方向に通信するように構成され得る。UE1415は単一のUEアンテナを含み得るが、UE1415が複数のUEアンテナ1440を含み得る例があり得る。
【０１５７】
UEワイヤレス通信マネージャ1450は、専用無線周波数スペクトル帯域または共有無線周波数スペクトル帯域を介したワイヤレス通信に関する、図1、図2、図3、図4、図5、図6、図7、図8、図9、図10、図11、または図12を参照して説明された、UEまたは装置の技法または機能の一部またはすべてを、実行または制御するように構成され得る。たとえば、UEワイヤレス通信マネージャ1450は、専用無線周波数スペクトル帯域または共有無線周波数スペクトル帯域を使用して、補助ダウンリンクモード(たとえば、免許支援アクセスモード)、キャリアアグリゲーションモード、またはスタンドアロンモードをサポートするように構成され得る。UEワイヤレス通信マネージャ1450は、専用無線周波数スペクトル帯域においてLTE/LTE-A通信を扱うように構成される専用RFスペクトル帯域のためのUE LTE/LTE-A構成要素1455と、共有無線周波数スペクトル帯域においてLTE/LTE-A通信を扱うように構成される共有RFスペクトル帯域のためのUE LTE/LTE-A構成要素1460とを含み得る。UEワイヤレス通信マネージャ1450、もしくはその一部はプロセッサを含むことがあり、またはUEワイヤレス通信マネージャ1450の機能の一部もしくはすべては、UEプロセッサ1410によって、もしくはUEプロセッサ1410と連係して実行されることがある。いくつかの例では、UEワイヤレス通信マネージャ1450は、図7、図8、図9、図10、図11、または図12を参照して説明されたワイヤレス通信マネージャ720、820、920、1020、1120、または1220の例であり得る。
【０１５８】
図15は、本開示の様々な態様による、ワイヤレス通信において使用するための基地局1505(たとえば、eNBの一部またはすべてを形成する基地局)のブロック図1500を示す。いくつかの例では、基地局1505は、図1、図2、図3、図4、図5、もしくは図6を参照して説明された基地局105、205、205-a、305、405、505、もしくは605のうちの1つまたは複数の態様、または、図13を参照して説明された装置1305の態様の例であり得る。基地局1505は、図1、図2、図3、図4、図5、図6、または図13を参照して説明された、基地局の技法および機能の少なくとも一部を実装または支援するように構成され得る。
【０１５９】
基地局1505は、基地局プロセッサ1510、基地局メモリ1520、(基地局トランシーバ1550によって代表される)少なくとも1つの基地局トランシーバ、(基地局アンテナ1555によって代表される)少なくとも1つの基地局アンテナ、または基地局ワイヤレス通信マネージャ1560を含み得る。基地局1505はまた、基地局通信器1530またはネットワーク通信器1540のうちの1つまたは複数を含み得る。これらの構成要素の各々は、1つまたは複数のバス1535を介して、直接または間接的に、互いに通信していることがある。
【０１６０】
基地局メモリ1520は、RAMまたはROMを含み得る。基地局メモリ1520は、実行されると、基地局プロセッサ1510に、たとえば、参照信号の送信と、参照信号に基づくRRM測定に対応するデータまたは報告の処理とを含む、ワイヤレス通信に関して本明細書において説明される様々な機能を実行させるように構成された命令を含む、コンピュータ可読のコンピュータ実行可能コード1525を記憶し得る。代替的に、コンピュータ実行可能コード1525は、基地局プロセッサ1510によって直接実行可能ではないことがあるが、(たとえば、コンパイルされ実行されると)本明細書において説明された様々な機能を基地局1505に実行させるように構成されることがある。
【０１６１】
基地局プロセッサ1510は、インテリジェントハードウェアデバイス、たとえば、CPU、マイクロコントローラ、ASICなどを含み得る。基地局プロセッサ1510は、基地局トランシーバ1550、基地局通信器1530、またはネットワーク通信器1540を通じて受信された情報を処理し得る。基地局プロセッサ1510はまた、アンテナ1555を通じた送信のためにトランシーバ1550に送られるべき情報、1つまたは複数の他の基地局(たとえば、基地局1505-aおよび基地局1505-b)への送信のために基地局通信器1530に送られるべき情報、または、図1を参照して説明されたコアネットワーク130の1つまたは複数の態様の例であり得る、コアネットワーク1545への送信のためにネットワーク通信器1540に送られるべき情報を処理し得る。基地局プロセッサ1510は、単独で、または基地局ワイヤレス通信マネージャ1560とともに、専用無線周波数スペクトル帯域または共有無線周波数スペクトル帯域を介して通信すること(またはそれを介した通信を管理すること)の様々な態様を扱い得る。専用無線周波数スペクトル帯域は、送信装置がアクセスをめぐって競合しなくてもよい無線スペクトル帯域(たとえば、LTE/LTE-A通信のために使用可能な免許無線周波数スペクトル帯域などの、特定の用途のために特定のユーザに免許されている無線周波数スペクトル帯域)を含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。
【０１６２】
基地局トランシーバ1550は、パケットを変調し、変調されたパケットを送信のために基地局アンテナ1555に与え、基地局アンテナ1555から受信されたパケットを復調するように構成されたモデムを含み得る。基地局トランシーバ1550は、いくつかの例では、1つまたは複数の基地局送信機および1つまたは複数の別個の基地局受信機として実装され得る。基地局トランシーバ1550は、専用無線周波数スペクトル帯域または共有無線周波数スペクトル帯域における通信をサポートし得る。基地局トランシーバ1550は、図1、図2、図3、図4、図5、図6、もしくは図14を参照して説明されるUE115、215、215-a、315、415、515、615、もしくは1415のうちの1つまたは複数、または、図7、図8、図9、図10、図11、もしくは図12を参照して説明された装置715、815、915、1015、1115、もしくは1215のうちの1つまたは複数などの、1つまたは複数のUEまたは装置と、アンテナ1555を介して双方向に通信するように構成され得る。たとえば、基地局1505は、複数の基地局アンテナ1555(たとえば、アンテナアレイ)を含み得る。基地局1505は、ネットワーク通信器1540を通じてコアネットワーク1545と通信し得る。基地局1505はまた、基地局通信器1530を使用して、基地局1505-aおよび基地局1505-bなどの他の基地局と通信し得る。
【０１６３】
基地局ワイヤレス通信マネージャ1560は、専用無線周波数スペクトル帯域または共有無線周波数スペクトル帯域を介したワイヤレス通信に関する、図1、図2、図3、図4、図5、図6、または図13を参照して説明された技法または機能の一部またはすべてを、実行または制御するように構成され得る。たとえば、基地局ワイヤレス通信マネージャ1560は、専用無線周波数スペクトル帯域または共有無線周波数スペクトル帯域を使用して、補助ダウンリンクモード(たとえば、免許支援アクセスモード)、キャリアアグリゲーションモード、またはスタンドアロンモードをサポートするように構成され得る。基地局ワイヤレス通信マネージャ1560は、専用無線周波数スペクトル帯域においてLTE/LTE-A通信を扱うように構成される専用RFスペクトル帯域のための基地局LTE/LTE-A構成要素1565と、共有無線周波数スペクトル帯域においてLTE/LTE-A通信を扱うように構成される共有RFスペクトル帯域のための基地局LTE/LTE-A構成要素1570とを含み得る。基地局ワイヤレス通信マネージャ1560もしくはその一部は、プロセッサを含むことがあり、または、基地局ワイヤレス通信マネージャ1560の機能の一部もしくはすべては、基地局プロセッサ1510によって、もしくは基地局プロセッサ1510と連係して実行され得る。いくつかの例では、基地局ワイヤレス通信マネージャ1560は、図13を参照して説明されたワイヤレス通信マネージャ1320の例であり得る。
【０１６４】
図16は、本開示の様々な態様による、UEにおけるワイヤレス通信のための方法1600の例を示すフローチャートである。明快にするために、方法1600は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１６５】
ブロック1605において、方法1600は、共有無線周波数スペクトル帯域におけるいくつかのアクティブなダウンリンクキャリアのための複数のRRM測定を実行するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号(たとえば、CRSまたはDRS)を測定することを含み得る。複数の参照信号は、複数の時間間隔にわたる可変の送信電力と関連付けられ得る。いくつかの例では、RRM測定は、RSRP測定、RSRQ測定、RSSI測定、またはこれらの組合せのうちの少なくとも1つを含み得る。ブロック1605における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図7もしくは図8を参照して説明されたRRM測定マネージャ735もしくは835を使用して実行され得る。
【０１６６】
ブロック1610において、方法1600は、RRM測定の各々を測定時間の指示と関連付けるステップを含み得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。いくつかの例では、RSRP測定、RSRQ測定、およびRSSI測定(または他の測定の構成要素)の各々が、別個の、または異なる測定時間の指示と関連付けられ得る。ブロック1610における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定パラメータインジケータ740もしくは840、または、図8を参照して説明された測定時間インジケータ850を使用して実行され得る。
【０１６７】
ブロック1615において、方法1600は、RRM測定に対応するデータと測定時間の指示とを基地局に送信するステップを含み得る。ブロック1615における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図7もしくは図8を参照して説明されたRRM測定送信マネージャ745もしくは845を使用して実行され得る。
【０１６８】
このようにして、方法1600はワイヤレス通信を実現し得る。方法1600は一実装形態にすぎないこと、および方法1600の動作は、他の実装形態が可能であるように、並べ替えられ得ること、または別様に修正され得ることに留意されたい。
【０１６９】
図17は、本開示の様々な態様による、UEにおけるワイヤレス通信のための方法1700の例を示すフローチャートである。明快にするために、方法1700は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１７０】
ブロック1705において、方法1700は、共有無線周波数スペクトル帯域におけるいくつかのアクティブなダウンリンクキャリアのための複数のRRM測定を実行するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号(たとえば、CRSまたはDRS)を測定することを含み得る。複数の参照信号は、複数の時間間隔にわたる可変の送信電力と関連付けられ得る。いくつかの例では、RRM測定は、RSRP測定、RSRQ測定、RSSI測定、またはこれらの組合せのうちの少なくとも1つを含み得る。ブロック1705における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図7もしくは図8を参照して説明されたRRM測定マネージャ735もしくは835を使用して実行され得る。
【０１７１】
ブロック1710において、方法1700は、RRM測定の各々を測定時間の指示と関連付けるステップを含み得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。いくつかの例では、RSRP測定、RSRQ測定、およびRSSI測定(または他の測定の構成要素)の各々が、別個の、または異なる測定時間の指示と関連付けられ得る。ブロック1710における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定パラメータインジケータ740もしくは840、または、図8を参照して説明された測定時間インジケータ850を使用して実行され得る。
【０１７２】
ブロック1715において、方法1700は、RRM測定の各々をキャリアの指示と関連付けるステップを含み得る。ブロック1715における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定パラメータインジケータ740もしくは840、または、図8を参照して説明されたキャリアインジケータ855を使用して実行され得る。
【０１７３】
ブロック1720において、方法1700は、RRM測定に対応するデータと、測定時間の指示と、キャリアの指示とを基地局に送信するステップを含み得る。ブロック1720における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図7もしくは図8を参照して説明されたRRM測定送信マネージャ745もしくは845を使用して実行され得る。
【０１７４】
このようにして、方法1700はワイヤレス通信を実現し得る。方法1700は一実装形態にすぎないこと、および方法1700の動作は、他の実装形態が可能であるように、並べ替えられ得ること、または別様に修正され得ることに留意されたい。
【０１７５】
図18は、本開示の様々な態様による、UEにおけるワイヤレス通信のための方法1800の例を示すフローチャートである。明快にするために、方法1800は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１７６】
ブロック1805において、方法1800は、共有無線周波数スペクトル帯域におけるいくつかのアクティブなダウンリンクキャリアのための複数のRRM測定を実行するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、アクティブなダウンリンクキャリアは、共有無線周波数スペクトル帯域へのアクセスをめぐる競合に送信装置が勝った、1つまたは複数のダウンリンクキャリアのセットを含み得る。1つまたは複数のダウンリンクキャリアのセットに含まれるダウンリンクキャリアは、LBT無線フレームまたはLBT送信バーストについて複数のダウンリンクキャリアの各々へのアクセスをめぐる競合に勝ったか、または負けたかに応じて、あるLBT無線フレームまたはLBT送信バーストから別のLBT送信フレームまたはLBT送信バーストに変化し得る。いくつかの例では、複数のRRM測定を実行することは、そのいくつかのアクティブなダウンリンクキャリア上で受信される複数の参照信号(たとえば、CRSまたはDRS)を測定することを含み得る。複数の参照信号は、複数の時間間隔にわたる可変の送信電力と関連付けられ得る。いくつかの例では、RRM測定は、プロトコルスタックの物理レイヤにおいて実行され得る。いくつかの例では、RRM測定は、RSRP測定、RSRQ測定、RSSI測定、またはこれらの組合せのうちの少なくとも1つを含み得る。ブロック1805における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図7もしくは図8を参照して説明されたRRM測定マネージャ735もしくは835を使用して実行され得る。
【０１７７】
ブロック1810において、方法1800は、RRM測定の各々を測定時間の指示と関連付けるステップを含み得る。いくつかの例では、RRM測定の各々を測定時間の指示と関連付けることは、RRM測定のうちの少なくとも1つを、RRM測定が実行されるサブフレームに対応するサブフレーム番号と関連付けることを含み得る。いくつかの例では、RRM測定の各々を測定時間の指示と関連付けることはさらに、RRM測定を測定順序と関連付けることを含み得る。いくつかの例では、RRM測定は、プロトコルスタックの物理レイヤにおいて測定時間の指示と関連付けられ得る。いくつかの例では、RSRP測定、RSRQ測定、およびRSSI測定(または他の測定の構成要素)の各々が、別個の、または異なる測定時間の指示と関連付けられ得る。ブロック1810における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定パラメータインジケータ740もしくは840、または、図8を参照して説明された測定時間インジケータ850を使用して実行され得る。
【０１７８】
ブロック1815において、方法1800は任意選択で、RRM測定の各々をキャリアの指示と関連付けるステップを含み得る。いくつかの例では、RRM測定は、プロトコルスタックの物理レイヤにおいてキャリアの指示と関連付けられ得る。ブロック1815における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定パラメータインジケータ740もしくは840、または、図8を参照して説明されたキャリアインジケータ855を使用して実行され得る。
【０１７９】
ブロック1820および1825において、方法1800は、RRM測定に対応するデータと、測定時間の指示と、任意選択でキャリアの指示とを基地局に送信するステップを含み得る。ブロック1820において、方法1800は、RRM測定に対応するデータと測定時間の指示とを、プロトコルスタックの物理レイヤ(たとえば、L1レイヤ)から物理レイヤよりも高いプロトコルスタックのレイヤ(たとえば、L3レイヤ)に報告するステップを含み得る。ブロック1825において、方法1800は、RRM測定に対応するデータと、測定時間の指示と、任意選択でキャリアの指示とを、物理レイヤよりも高いプロトコルスタックのレイヤ(たとえば、L3レイヤ)から基地局に報告するステップを含み得る。RRM測定に対応するデータ、測定時間の指示、および任意選択でキャリアの指示は、物理レイヤから基地局へ(たとえば、L1レイヤからL3レイヤおよび基地局へ)送信される、フィルタリングおよび平均化が行われていない値を含み得る。ブロック1820および1825における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、図7もしくは図8を参照して説明されたRRM測定送信マネージャ745もしくは845、または、図8を参照して説明された内部報告マネージャ860もしくは外部報告マネージャ865を使用して実行され得る。
【０１８０】
このようにして、方法1800はワイヤレス通信を実現し得る。方法1800は一実装形態にすぎないこと、および方法1800の動作は、他の実装形態が可能であるように、並べ替えられ得ること、または別様に修正され得ることに留意されたい。
【０１８１】
図19は、本開示の様々な態様による、UEにおけるワイヤレス通信のための方法1900の例を示すフローチャートである。明快にするために、方法1900は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１８２】
ブロック1905において、方法1900は、共有無線周波数スペクトル帯域の中の共存するダウンリンクキャリアの指示を受信するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。ブロック1905における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明された共存ダウンリンクキャリア識別子935もしくは1035を使用して実行され得る。
【０１８３】
ブロック1910において、方法1900は、ダウンリンクキャリアのための複数のRRM測定を実行するステップを含み得る。いくつかの例では、複数のRRM測定を実行することは、ダウンリンクキャリア上で受信されるいくつかの参照信号(たとえば、CRSまたはDRS)を測定することを含み得る。そのいくつかの参照信号は、複数の時間間隔にわたる一定の総送信電力と関連付けられ得る。いくつかの例では、RRM測定は、RSRP測定、RSRQ測定、RSSI測定、またはこれらの組合せのうちの少なくとも1つを含み得る。ブロック1910における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定マネージャ940もしくは1040を使用して実行され得る。
【０１８４】
ブロック1915において、方法1900は、受信された指示に少なくとも一部基づいて、共有無線周波数スペクトル帯域の中のある時間間隔にわたってRRM測定を組み合わせるステップを含み得る。いくつかの例では(たとえば、RSRP測定またはRSRQ測定の場合)、組み合わせることは加算することを含み得る。いくつかの例では(たとえば、RSSI測定の場合)、組み合わせることは平均することを含み得る。ブロック1915における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定結合器945もしくは1045を使用して実行され得る。
【０１８５】
ブロック1920において、方法1900は、組み合わされたRRM測定に少なくとも一部基づく報告を基地局に送信するステップを含み得る。ブロック1920における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定報告送信機950もしくは1050を使用して実行され得る。
【０１８６】
ブロック1925において、方法1900は任意選択で、組み合わされたRRM測定に少なくとも一部基づいて、無線リソース管理を実行するステップを含み得る。いくつかの例では、無線リソース管理を実行することは、基地局と関連付けられた状態にとどまるかどうかを決定すること、または関連付けもしくはハンドオーバーのための基地局候補を特定することのうちの少なくとも1つを含み得る。ブロック1925における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図10を参照して説明された無線リソースマネージャ1055を使用して実行され得る。
【０１８７】
このようにして、方法1900はワイヤレス通信を実現し得る。方法1900は一実装形態にすぎないこと、および方法1900の動作は、他の実装形態が可能であるように、並べ替えられ得ること、または別様に修正され得ることに留意されたい。
【０１８８】
図20は、本開示の様々な態様による、UEにおけるワイヤレス通信のための方法2000の例を示すフローチャートである。明快にするために、方法2000は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１８９】
ブロック2005において、方法2000は、共有無線周波数スペクトル帯域の中の共存するダウンリンクキャリアの指示を受信するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。ブロック2005における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明された共存ダウンリンクキャリア識別子935もしくは1035を使用して実行され得る。
【０１９０】
ブロック2010において、方法2000は、ダウンリンクキャリアのための複数のRRM測定を実行するステップを含み得る。いくつかの例では、複数のRRM測定を実行することは、ダウンリンクキャリア上で受信されるいくつかの参照信号(たとえば、CRSまたはDRS)を測定することを含み得る。そのいくつかの参照信号は、複数の時間間隔にわたる一定の総送信電力と関連付けられ得る。いくつかの例では、RRM測定は、RSRP測定、RSRQ測定、RSSI測定、またはこれらの組合せのうちの少なくとも1つを含み得る。ブロック2010における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定マネージャ940もしくは1040を使用して実行され得る。
【０１９１】
ブロック2015において、方法2000は、受信された指示に少なくとも一部基づいて、共有無線周波数スペクトル帯域の中のある時間間隔にわたってRRM測定を組み合わせるステップを含み得る。いくつかの例では(たとえば、RSRP測定またはRSRQ測定の場合)、組み合わせることは加算することを含み得る。いくつかの例では(たとえば、RSSI測定の場合)、組み合わせることは平均することを含み得る。ブロック2015における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定結合器945もしくは1045を使用して実行され得る。
【０１９２】
ブロック2020において、方法2000は、複数の時間間隔にわたって組み合わされたRRM測定を平均するステップを含み得る。ブロック2020における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定結合器945もしくは1045を使用して実行され得る。
【０１９３】
ブロック2025において、方法2000は、組み合わされたRRM測定に少なくとも一部基づく報告を基地局に送信するステップを含み得る。報告は、組み合わされたRRM測定の平均を含み得る。ブロック2025における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図9もしくは図10を参照して説明されたRRM測定報告送信機950もしくは1050を使用して実行され得る。
【０１９４】
このようにして、方法2000はワイヤレス通信を実現し得る。方法2000は一実装形態にすぎないこと、および方法2000の動作は、他の実装形態が可能であるように、並べ替えられ得ること、または別様に修正され得ることに留意されたい。
【０１９５】
図21は、本開示の様々な態様による、UEにおけるワイヤレス通信のための方法2100の例を示すフローチャートである。明快にするために、方法2100は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０１９６】
ブロック2105において、方法2100は、共有無線周波数スペクトル帯域におけるダウンリンクキャリアのための複数のRRM測定を実行するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。いくつかの例では、複数のRRM測定を実行することは、ダウンリンクキャリア上で受信される複数の参照信号(たとえば、CRSまたはDRS)を測定することを含み得る。ブロック2105における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図11を参照して説明されたRRM測定マネージャ1135を使用して実行され得る。
【０１９７】
ブロック2110において、方法2100は、RRM測定の信頼性を決定するステップを含み得る。いくつかの例では、RRM測定の信頼性を決定することは、有効なRRM測定を実行していない経過時間を特定することを含み得る。いくつかの例では、RRM測定の信頼性を決定することは、ある期間の間に実行されるRRM測定の数を数えることを含み得る。ブロック2110における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図11を参照して説明されたRRM測定信頼性インジケータ1140を使用して実行され得る。
【０１９８】
ブロック2115において、方法2100は、RRM測定に対応するデータおよびRRM測定の信頼性の指示を基地局に送信するステップを含み得る。ブロック2115における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図11を参照して説明されたRRM測定送信マネージャ1145を使用して実行され得る。
【０１９９】
このようにして、方法2100はワイヤレス通信を実現し得る。方法2100は一実装形態にすぎないこと、および方法2100の動作は、他の実装形態が可能であるように、並べ替えられ得ること、または別様に修正され得ることに留意されたい。
【０２００】
図22は、本開示の様々な態様による、UEにおけるワイヤレス通信のための方法2200の例を示すフローチャートである。明快にするために、方法2200は、図1、図2、図3、図4、図5、図6、もしくは図14を参照して説明されたUE115、215、215-a、215-b、215-c、315、415、515、615、もしくは1415のうちの1つまたは複数の態様、または図7、図8、図9、図10、図11、もしくは図12を参照して説明された装置715、815、915、1015、1115、もしくは1215のうちの1つまたは複数の態様を参照して以下で説明される。いくつかの例では、UEは、以下で説明される機能を実行するようにUEの機能要素を制御するためのコードのうちの1つまたは複数のセットを実行し得る。追加または代替として、UEは、専用ハードウェアを使用して、以下で説明される機能のうちの1つまたは複数を実行し得る。
【０２０１】
ブロック2205において、方法2200は、共有無線周波数スペクトル帯域におけるダウンリンクキャリアのための複数のRRM測定を実行するステップを含み得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、RRM測定は、ダウンリンクキャリアがアクティブであるとき(たとえば、共有無線周波数スペクトル帯域へのアクセスをめぐる競合に送信装置が勝ったLBT無線フレームまたはLBT送信バーストの間)には実行されることがあるが、ダウンリンクキャリアが非アクティブであるとき(たとえば、共有無線周波数スペクトル帯域へのアクセスをめぐる競合に送信装置が負けたLBT無線フレームまたはLBT送信バーストの間)には実行されないことがある。いくつかの例では、複数のRRM測定を実行することは、ダウンリンクキャリア上で受信される複数の参照信号(たとえば、CRSまたはDRS)を測定することを含み得る。ブロック2205における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図12を参照して説明されたRRM測定マネージャ1235を使用して実行され得る。
【０２０２】
ブロック2210において、方法2200は、RRM測定の信頼性の変化を特定するステップを含み得る。いくつかの例では、RRM測定の信頼性の変化を特定することは、有効なRRM測定を実行していない経過時間の変化を特定することを含み得る。いくつかの例では、RRM測定の信頼性の変化を特定することは、ある期間の間に実行されたRRM測定の数の変化を特定することを含み得る。ブロック2210における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図12を参照して説明されたRRM測定信頼性変化インジケータ1240を使用して実行され得る。
【０２０３】
ブロック2215において、方法2200は、信頼性の変化を特定したことに応答して、ダウンリンクキャリアに対応するセルのためのRRM測定フィルタをリセットすること、基地局への測定報告の送信をトリガすること、RRM測定に対応するデータの基地局への送信を控えること、ダウンリンクキャリアに対応するセルを検出不可能であるものとして特定すること、またはこれらの組合せのうちの少なくとも1つを実行するステップを含み得る。ブロック2215における動作は、図7、図8、図9、図10、図11、図12、もしくは図14を参照して説明されたワイヤレス通信マネージャ720、820、920、1020、1120、もしくは1220、もしくはUEワイヤレス通信マネージャ1450、または、図12を参照して説明されたRRM測定フィルタマネージャ1245、RRM測定送信マネージャ1250、もしくはセルマネージャ1255を使用して実行され得る。
【０２０４】
このようにして、方法2200はワイヤレス通信を実現し得る。方法2200は一実装形態にすぎないこと、および方法2200の動作は、他の実装形態が可能であるように、並べ替えられ得ること、または別様に修正され得ることに留意されたい。
【０２０５】
いくつかの例では、図16、図17、図18、図19、図20、図21、または図22を参照して説明される方法1600、1700、1800、1900、2000、2100、または2200の態様が組み合わされ得る。
【０２０６】
図23は、本開示の様々な態様による、基地局におけるワイヤレス通信のための方法2300の例を示すフローチャートである。明快にするために、方法2300は、図1、図2、図3、図4、図5、図6、もしくは図15を参照して説明された基地局105、205、205-a、305、405、505、605、もしくは1505のうちの1つまたは複数の態様、または、図13を参照して説明された装置1305の態様を参照して以下で説明される。いくつかの例では、基地局は、以下で説明される機能を実行するように、基地局の機能要素を制御するためのコードの1つまたは複数のセットを実行し得る。追加または代替として、基地局は、専用ハードウェアを使用して以下で説明される機能のうちの1つまたは複数を実行し得る。
【０２０７】
ブロック2305において、方法2300は、UEに送信される複数の参照信号(たとえば、CRSまたはDRS)のための送信電力の指示および送信時間の指示を記録するステップを含み得る。いくつかの例では、ブロック2305における動作はさらに、複数の参照信号のための第1のキャリアの指示を記録するステップを含み得る。いくつかの例では、参照信号は、共有無線周波数スペクトル帯域の中のアクティブなダウンリンクキャリア上で送信され得る。共有無線周波数スペクトル帯域は、送信装置がアクセスをめぐって競合し得る無線周波数スペクトル帯域(たとえば、Wi-Fi用途などの免許不要の用途に利用可能な無線周波数スペクトル帯域、異なる無線アクセス技術による使用が可能な無線周波数スペクトル帯域、または等しく共有される方式で、もしくは優先順位付けられる方式で複数の事業者による使用が可能な無線周波数スペクトル帯域)を含み得る。いくつかの例では、アクティブなダウンリンクキャリアは、共有無線周波数スペクトル帯域へのアクセスをめぐる競合に送信装置が勝った、1つまたは複数のキャリアのセットを含み得る。ブロック2305における動作は、図13もしくは図15を参照して説明されたワイヤレス通信マネージャ1320もしくは基地局ワイヤレス通信マネージャ1560、または、図13を参照して説明された参照信号送信機1335を使用して実行され得る。
【０２０８】
ブロック2310において、方法2300は、UEから、複数のRRM測定に対応するデータ、RRM測定と関連付けられる測定時間の指示、および任意選択でRRM測定と関連付けられる第2のキャリアの指示を受信するステップを含み得る。RRM測定は、参照信号に少なくとも一部基づき得る。ブロック2310における動作は、図13もしくは図15を参照して説明されたワイヤレス通信マネージャ1320もしくは基地局ワイヤレス通信マネージャ1560、または、図13を参照して説明されたRRM測定受信機1340を使用して実行され得る。
【０２０９】
ブロック2315において、方法2300は、測定時間の指示と送信時間の指示との間の相関に少なくとも一部基づいて(かつ任意選択で、第1のキャリアの指示との第2のキャリアの指示の相関に基づいて)、送信電力の指示をデータと相関付けるステップを含み得る。ブロック2315における動作は、図13もしくは図15を参照して説明されたワイヤレス通信マネージャ1320もしくは基地局ワイヤレス通信マネージャ1560、または、図13を参照して説明された送信電力相関器1345を使用して実行され得る。
【０２１０】
ブロック2320において、方法2300は任意選択で、相関付けから、RRM測定に対応するデータが受信されていない少なくとも1つの参照信号を特定するステップを含み得る。ブロック2320における動作は、図13もしくは図15を参照して説明されたワイヤレス通信マネージャ1320もしくは基地局ワイヤレス通信マネージャ1560、または、図13を参照して説明されたRRMデータ分析器1350を使用して実行され得る。
【０２１１】
ブロック2325において、方法2300は任意選択で、相関付けから、少なくとも1つの外れ値のRRM測定に対応するデータを特定するステップを含み得る。ブロック2325における動作は、図13もしくは図15を参照して説明されたワイヤレス通信マネージャ1320もしくは基地局ワイヤレス通信マネージャ1560、または、図13を参照して説明されたRRMデータ分析器1350を使用して実行され得る。
【０２１２】
ブロック2330において、方法2300は、(ブロック2315において実行された)相関付けに少なくとも一部基づいて、(ブロック2310において受信された)データを調整するステップを含み得る。ブロック2330における動作は、図13もしくは図15を参照して説明されたワイヤレス通信マネージャ1320もしくは基地局ワイヤレス通信マネージャ1560、または、図13を参照して説明されたRRMデータ調整器1355を使用して実行され得る。
【０２１３】
このようにして、方法2300はワイヤレス通信を実現し得る。方法2300は一実装形態にすぎないこと、および方法2300の動作は、他の実装形態が可能であるように、並べ替えられ得ること、または別様に修正され得ることに留意されたい。
【０２１４】
本明細書において説明された技法は、CDMA、TDMA、FDMA、OFDMA、SC-FDMA、および他のシステムなどの様々なワイヤレス通信システムのために使用され得る。「システム」および「ネットワーク」という用語は、しばしば、互換的に使用される。CDMAシステムは、CDMA2000、Universal Terrestrial Radio Access(UTRA)などの無線技術を実装し得る。CDMA2000は、IS-2000、IS-95、およびIS-856規格をカバーする。IS-2000のリリース0およびAは、CDMA2000 1X、1Xなどと呼ばれ得る。IS-856(TIA-856)は、CDMA2000 1xEV-DO、High Rate Packet Data(HRPD)などと呼ばれ得る。UTRAは、広帯域CDMA(WCDMA(登録商標）)およびCDMAの他の変形を含む。TDMAシステムは、Global System for Mobile Communications(GSM(登録商標）)などの無線技術を実装し得る。OFDMAシステムは、Ultra Mobile Broadband(UMB)、Evolved UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、Universal Mobile Telecommunication System(UMTS)の一部である。3GPP LTEおよびLTE-Aは、E-UTRAを使用するUMTSの新たなリリースである。UTRA、E-UTRA、UMTS、LTE、LTE-A、およびGSM(登録商標）は、3GPPと称する組織からの文書に記載されている。CDMA2000およびUMBは、「第3世代パートナーシッププロジェクト2」(3GPP2)と称する組織からの文書に記載されている。本明細書において説明される技法は、免許不要帯域幅または共有帯域幅を介したセルラー(たとえば、LTE)通信を含む、上述のシステムおよび無線技術、ならびに他のシステムおよび無線技術のために使用され得る。しかしながら、上の説明は、例としてLTE/LTE-Aシステムを説明し、上の説明の大部分においてLTE用語が使用されるが、本技法はLTE/LTE-A適用例以外に適用可能である。
【０２１５】
添付の図面に関して上に記載された発明を実施するための形態は、例を説明しており、実装され得る例、または特許請求の範囲内にある例のすべてを表すものではない。この説明で使用される「例」および「例示的」という用語は、「例、事例、もしくは例示として機能すること」を意味し、「好ましい」または「他の例よりも有利である」ことを意味しない。詳細な説明は、説明された技法の理解を与える目的で、具体的な詳細を含む。しかしながら、これらの技法は、これらの具体的な詳細を伴うことなく実践されることがある。いくつかの事例では、説明される例の概念を不明瞭にすることを回避するために、よく知られている構造および装置はブロック図の形態で示されている。
【０２１６】
情報および信号は、様々な異なる技術および技法のうちのいずれかを使用して表されることがある。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されることがある。
【０２１７】
本明細書の開示に関連して説明された様々な例示的なブロックおよび構成要素は、汎用プロセッサ、デジタル信号プロセッサ(DSP)、ASIC、FPGAもしくは他のプログラマブル論理デバイス、ディスクリートゲートもしくはトランジスタロジック、ディスクリートハードウェア構成要素、または、本明細書において説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、DSPとマイクロプロセッサの組合せ、複数のマイクロプロセッサ、DSPコアと連携する1つまたは複数のマイクロプロセッサ、または他の任意のそのような構成として実装され得る。
【０２１８】
本明細書において説明された機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとしてコンピュータ可読媒体上に記憶されることがあり、またはコンピュータ可読媒体を介して送信されることがある。他の例および実装形態が、本開示および添付の特許請求の範囲および趣旨内にある。たとえば、ソフトウェアの性質に起因して、上で説明された機能は、プロセッサによって実行されるソフトウェア、ハードウェア、ファームウェア、ハードワイヤリング、またはそれらのいずれかの組合せを使用して実装され得る。機能を実装する構成要素はまた、異なる物理的位置に機能の部分が実装されるように分散されることを含めて、様々な位置に物理的に配置され得る。特許請求の範囲を含めて本明細書で使用される場合、「または」という用語は、2つ以上の項目の列挙において使用されるとき、列挙される項目のうちのいずれか1つが単独で利用され得ること、または列挙される項目のうちの2つ以上からなる任意の組合せが利用され得ることを意味する。たとえば、構成が、構成要素A、B、またはCを含むものとして説明される場合、その構成は、Aのみ、Bのみ、Cのみ、AとBの組合せ、AとCの組合せ、BとCの組合せ、またはA、B、およびCの組合せを含み得る。また、特許請求の範囲内を含めて、本明細書で使用される場合、項目の列挙(たとえば、「のうちの少なくとも1つ」または「のうちの1つまたは複数」などの句で始まる項目の列挙)内で使用される「または」は、たとえば、「A、B、またはCの少なくとも1つ」という列挙がAまたはBまたはCまたはABまたはACまたはBCまたはABC(すなわち、AおよびBおよびC)を意味するような、選言的列挙を示す。
【０２１９】
コンピュータ可読媒体は、コンピュータ記憶媒体と、ある場所から別の場所へのコンピュータプログラムの転送を容易にする任意の媒体を含む通信媒体との両方を含む。記憶媒体は、汎用または専用コンピュータによってアクセスされ得る任意の利用可能な媒体であり得る。限定ではなく例として、コンピュータ可読媒体は、RAM、ROM、EEPROM(登録商標)、フラッシュメモリ、CD-ROMまたは他の光ディスクストレージ、磁気ディスクストレージまたは他の磁気ストレージデバイス、あるいは、命令もしくはデータ構造の形態の所望のプログラムコード手段を搬送または記憶するために使用され、汎用コンピュータもしくは専用コンピュータ、または汎用プロセッサもしくは専用プロセッサによってアクセスされ得る、任意の他の媒体を備え得る。また、あらゆる接続が、コンピュータ可読媒体と適切に呼ばれる。たとえば、ソフトウェアが、同軸ケーブル、光ファイバケーブル、より対線、デジタル加入者線(「DSL」)、または、赤外線、無線、およびマイクロ波などのワイヤレス技術を使用してウェブサイト、サーバ、または他の遠隔ソースから送信される場合、同軸ケーブル、光ファイバケーブル、より対線、DSL、または、赤外線、無線、およびマイクロ波などのワイヤレス技術は、媒体の定義に含まれる。本明細書において使用されるディスク(disk)およびディスク(disc)は、コンパクトディスク(disc)(CD)、レーザーディスク(登録商標）(disc)、光ディスク(disc)、デジタル多用途ディスク(disc)(DVD)、フロッピーディスク(disk)、およびブルーレイディスク(disc)を含み、ディスク(disk)は、通常、データを磁気的に再生し、ディスク(disc)は、レーザーを用いてデータを光学的に再生する。上記のものの組合せもコンピュータ可読媒体の範囲内に含まれる。
【０２２０】
本開示の前の説明は、当業者が本開示を作成または使用することができるように与えられた。本開示の様々な変更は当業者には容易に明らかとなり、本明細書で定義される一般原理は、本開示の範囲から逸脱することなく他の変形形態に適用され得る。したがって、本開示は、本明細書において説明される実施例および設計に限定されるものではなく、本明細書において開示される原理および新規な技法と一致する最も広い範囲が与えられるべきである。
【符号の説明】
【０２２１】
100  ワイヤレス通信システム
105  基地局
110  地理的カバレージエリア
115  UE
125  通信リンク
130  コアネットワーク
132  バックホールリンク
134  バックホールリンク
200  ワイヤレス通信システム
205  基地局
215  UE
220  ダウンリンクチャネル
225  第1の双方向リンク
230  第2の双方向リンク
235  第3の双方向リンク
240  第4の双方向リンク
245  第5の双方向リンク
250  双方向リンク
300  メッセージフロー
305  基地局
315  UE
320  参照信号
400  メッセージフロー
405  基地局
415  UE
425  参照信号
500  メッセージフロー
505  基地局
515  UE
520  参照信号
600  メッセージフロー
605  基地局
615  UE
620  参照信号
640  測定報告
700  ブロック図
710  受信機
720  ワイヤレス通信マネージャ
730  送信機
735  RRM測定マネージャ
740  RRM測定パラメータインジケータ
745  RRM測定送信マネージャ
800  ブロック図
810  受信機
812  専用RFスペクトル帯域のためのLTE/LTE-A受信機
814  共有RFスペクトル帯域のためのLTE/LTE-A受信機
815  装置
820  ワイヤレス通信マネージャ
830  送信機
832  専用RFスペクトル帯域のためのLTE/LTE-A送信機
834  共有RFスペクトル帯域のためのLTE/LTE-A送信機
835  RRM測定マネージャ
840  RRM測定パラメータインジケータ
845  RRM測定送信マネージャ
850  測定時間インジケータ
855  キャリアインジケータ
860  内部報告マネージャ
865  外部報告マネージャ
900  ブロック図
910  受信機
915  装置
920  ワイヤレス通信マネージャ
930  送信機
935  共存ダウンリンクキャリア識別子
940  RRM測定マネージャ
945  RRM測定結合器
950  RRM測定報告送信機
1000  ブロック図
1010  受信機
1015  装置
1012  専用RFスペクトル帯域のためのLTE/LTE-A受信機
1014  共有RFスペクトル帯域のためのLTE/LTE-A受信機
1020  ワイヤレス通信マネージャ
1030  送信機
1032  専用RFスペクトル帯域のためのLTE/LTE-A送信機
1034  共有RFスペクトル帯域のためのLTE/LTE-A送信機
1035  共存ダウンリンクキャリア識別子
1040  RRM測定マネージャ
1045  RRM測定結合器
1050  RRM測定報告送信機
1055  無線リソースマネージャ
1100  ブロック図
1110  受信機
1112  専用RFスペクトル帯域のためのLTE/LTE-A受信機
1114  共有RFスペクトル帯域のためのLTE/LTE-A受信機
1115  装置
1120  ワイヤレス通信マネージャ
1130  送信機
1132  専用RFスペクトル帯域のためのLTE/LTE-A送信機
1134  共有RFスペクトル帯域のためのLTE/LTE-A送信機
1135  RRM測定マネージャ
1140  RRM測定信頼性インジケータ
1145  RRM測定送信マネージャ
1200  ブロック図
1210  受信機
1212  専用RFスペクトル帯域のためのLTE/LTE-A受信機
1214  共有RFスペクトル帯域のためのLTE/LTE-A受信機
1215  装置
1220  ワイヤレス通信マネージャ
1230  送信機
1232  専用RFスペクトル帯域のためのLTE/LTE-A送信機
1234  共有RFスペクトル帯域のためのLTE/LTE-A送信機
1235  RRM測定マネージャ
1240  RRM測定信頼性変化インジケータ
1245  RRM測定フィルタマネージャ
1250  RRM測定報告送信マネージャ
1255  セルマネージャ
1300  ブロック図
1305  装置
1310  受信機
1312  専用RFスペクトル帯域のためのLTE/LTE-A受信機
1314  共有RFスペクトル帯域のためのLTE/LTE-A受信機
1320  ワイヤレス通信マネージャ
1330  送信機
1332  専用RFスペクトル帯域のためのLTE/LTE-A送信機
1334  共有RFスペクトル帯域のためのLTE/LTE-A送信機
1335  参照信号送信機
1340  RRM測定受信機
1345  送信電力相関器
1350  RRMデータ分析器
1355  RRMデータ調整器
1400  ブロック図
1410  UEプロセッサ
1415  UE
1420  UEメモリ
1425  コード
1430  UEトランシーバ
1435  バス
1440  UEアンテナ
1450  UEワイヤレス通信マネージャ
1455  専用RFスペクトル帯域のためのUE LTE/LTE-A構成要素
1460  共有RFスペクトル帯域のためのUE LTE/LTE-A構成要素
1500  ブロック図
1505  基地局
1510  基地局プロセッサ
1520  基地局メモリ
1525  コード
1530  基地局通信器
1535  バス
1540  ネットワーク通信器
1545  コアネットワーク
1550  基地局トランシーバ
1555  基地局アンテナ
1560  基地局ワイヤレス通信マネージャ
1565  専用RFスペクトル帯域のための基地局LTE/LTE-A構成要素
1570  共有RFスペクトル帯域のための基地局LTE/LTE-A構成要素
1600  方法
1700  方法
1800  方法
1900  方法
2000  方法
2100  方法
2200  方法
2300  方法
【図１】
2018530197.tif 000003
【図２】
2018530197.tif 000004
【図３】
2018530197.tif 000005
【図４】
2018530197.tif 000006
【図５】
2018530197.tif 000007
【図６】
2018530197.tif 000008
【図７】
2018530197.tif 000009
【図８】
2018530197.tif 000010
【図９】
2018530197.tif 000011
【図１０】
2018530197.tif 000012
【図１１】
2018530197.tif 000013
【図１２】
2018530197.tif 000014
【図１３】
2018530197.tif 000015
【図１４】
2018530197.tif 000016
【図１５】
2018530197.tif 000017
【図１６】
2018530197.tif 000018
【図１７】
2018530197.tif 000019
【図１８】
2018530197.tif 000020
【図１９】
2018530197.tif 000021
【図２０】
2018530197.tif 000022
【図２１】
2018530197.tif 000023
【図２２】
2018530197.tif 000024
【図２３】
2018530197.tif 000025
【国際調査報告】
2018530197.tif 000026
2018530197.tif 000027
2018530197.tif 000028
2018530197.tif 000029
2018530197.tif 000030